(57)【要約】【課題】本発明は、外形のサイズを出来る限りコンパクトにしうると共に、使用時には使いやすい長さにセット出来、さらには一週間程度の短期間の使用に対応させて使用部品等を大幅に削減させ、もって製造コストを安価にした塗布具を提供することを目的とする。【解決手段】本発明は、略円筒状をなし、先端部には棒状芯材を保持する保持部を有するボディと、前記保持部に嵌り込んでキャップするキャップ部材と、前記ボディの後端部に嵌入して取り付けられる尾栓と、前記尾栓の後端には、前記キャップが嵌り込むキャップ装着部が設けられ、前記保持部には取付孔が設けられ、該取付孔には棒状芯材が嵌め込まれて取付孔から外側に露出する筆先が形成され、前記棒状芯材の長さは、使用期間に見合った液状塗布材を貯留できる長さにしてあることを特徴とする。【選択図】  図１
2019136445.tif 000002
【特許請求の範囲】
【請求項１】
略円筒状をなし、先端部には棒状芯材を保持する保持部を有するボディと、前記保持部に嵌り込んでキャップするキャップ部材と、前記ボディの後端部に嵌入して取り付けられる尾栓と、前記尾栓の後端には、前記キャップが嵌り込むキャップ装着部が設けられ、
前記保持部には取付孔が設けられ、該取付孔には棒状芯材が嵌め込まれて取付孔から外側に露出する筆先が形成され、前記棒状芯材の長さは、使用期間に見合った液状塗布材を貯留できる長さにしてある、
ことを特徴とする塗布具。
【請求項２】
略円筒状をなし、先端部には棒状芯材を保持する保持部を有するボディと、前記保持部に嵌り込んでキャップするキャップ部材と、前記ボディの後端部に嵌入して取り付けられる尾栓と、前記尾栓の後端には、前記キャップが嵌り込むキャップ装着部が設けられ、
前記保持部には取付孔が設けられ、該取付孔には棒状固形体をなす棒状芯材が嵌め込まれて取付孔から外側に露出する筆先が形成され、前記露出する筆先の棒状芯材は、使用期間に見合った長さにしてある、
ことを特徴とする塗布具。
【請求項３】
前記ボディの長手方向両端部に前記保持部が各々設けられ、該保持部には、それぞれ棒状芯材が取り付けられた、
ことを特徴とする請求項１または請求項２記載の塗布具。
【請求項４】
前記尾栓には、前記ボディの後端部端面に係止する係止片が設けられた、
ことを特徴とする請求項１、請求項２または請求項３記載の塗布具。
【請求項５】
前記尾栓には、該尾栓の軸芯方向後端面に開口を有して軸芯方向に延びる伸縮用空洞部が設けられた、
ことを特徴とする請求項１、請求項２、請求項３または請求項４記載の塗布具。
【発明の詳細な説明】
【技術分野】
【０００１】
本発明は、例えばアイライナーやアイブロウのような化粧用具、あるいは頭髪や眉毛などの部分白髪染め具など、棒状芯材の先端部より所定箇所に描画して使用する塗布具に係り、特に一週間使用など短期間のみ使用する場合に対応出来るように創案された塗布具に関するものである。
【背景技術】
【０００２】
従来、アイブロウなど内部にいわゆるペンシルタイプの棒状芯材を取り付け、このペンシルタイプの棒状芯材先端部によって所定箇所に描画する塗布具が一般に知られている。
【０００３】
しかしながら、これら塗布具は、おおむね、数ヶ月間あるいは数年間の使用に対応すべく製造されており、例えば、ハロウィンの季節や仮装の必要がある場合など特殊なメイクを行う場合、前記の様な数ヶ月間あるいは数年間の使用に対応して製造、販売された塗布具であると、２乃至３回ほど使用した後には使用機会がなく、そのまま使用しないで廃棄してしまうとの課題があった。
【０００４】
ここで、ペンシルタイプの塗布具では、文字通り固形の芯で眉に色を描き足せるもので比較的小回りのきく鉛筆のようなタイプであり、ぼかしやすくナチュラルに仕上げることが出来る。また、きりっとした立体的な印象に仕上げることも出来る。さらに、部分的なすき間を埋めたり、目尻や輪郭などのラインを描くときに好ましいアイテムとなる。
【先行技術文献】
【特許文献】
【０００５】
【特許文献１】特開平１１−４８６７８号公報
【特許文献２】特開２０１３−１０２９１０号公報
【特許文献３】特開２００４−３４４８５８号公報
【発明の概要】
【発明が解決しようとする課題】
【０００６】
かくして、本発明による塗布具は、前記従来の課題を解決するために創案されたものであって、外形のサイズを出来る限りコンパクトにしうると共に、使用時には使いやすい長さにセット出来、さらには一週間程度の短期間の使用に対応させて使用部品等を大幅に削減させ、もって製造コストを安価にした塗布具を提供することを目的とするものである。
【課題を解決するための手段】
【０００７】
本発明による塗布具は、
略円筒状をなし、先端部には棒状芯材を保持する保持部を有するボディと、前記保持部に嵌り込んでキャップするキャップ部材と、前記ボディの後端部に嵌入して取り付けられる尾栓と、前記尾栓の後端には、前記キャップが嵌り込むキャップ装着部が設けられ、
前記保持部には取付孔が設けられ、該取付孔には棒状芯材が嵌め込まれて取付孔から外側に露出する筆先が形成され、前記棒状芯材の長さは、使用期間に見合った液状塗布材を貯留できる長さにしてある、
ことを特徴とし、
または、
略円筒状をなし、先端部には棒状芯材を保持する保持部を有するボディと、前記保持部に嵌り込んでキャップするキャップ部材と、前記ボディの後端部に嵌入して取り付けられる尾栓と、前記尾栓の後端には、前記キャップが嵌り込むキャップ装着部が設けられ、
前記保持部には取付孔が設けられ、該取付孔には棒状固形体をなす棒状芯材が嵌め込まれて取付孔から外側に露出する筆先が形成され、前記露出する筆先の棒状芯材は、使用期間に見合った長さにしてある、
ことを特徴とし、
または、
前記ボディの長手方向両端部に前記保持部が各々設けられ、該保持部には、それぞれ棒状芯材が取り付けられた、
ことを特徴とし、
または、
前記尾栓には、前記ボディの後端部端面に係止する係止片が設けられた、
ことを特徴とし、
または、
前記尾栓には、該尾栓の軸芯方向後端面に開口を有して軸芯方向に延びる伸縮用空洞部が設けられた、
ことを特徴とするものである。
【発明の効果】
【０００８】
本発明による塗布具であれば、形のサイズを出来る限りコンパクトにしうると共に、使用時には使いやすい長さにセット出来、さらには一週間程度の短期間の使用に対応させて使用部品を削減でき、もって製造コストを安価にした塗布具を提供できるとの優れた効果を奏する。
【図面の簡単な説明】
【０００９】
【図１】本発明の第一実施例による塗布具の構成を説明する説明図（１）である。
【図２】本発明の第一実施例による塗布具の構成を説明する説明図（２）である。
【図３】本発明の第二実施例による塗布具の構成を説明する説明図である。
【図４】本発明の第三実施例による塗布具の構成を説明する説明図（１）である。
【図５】本発明の第三実施例による塗布具の構成を説明する説明図（２）である。
【図６】図２、図４のＡ−Ａ線断面図である。
【図７】空気流通溝の他の実施例を示す断面図である。
【発明を実施するための形態】
【００１０】
以下、図１及び図２に基づいて本発明の第一実施例による塗布具１の構成を説明する。
本発明による塗布具１は、略円筒状をなすボディ２を有している。そして、このボディ２の先端部には、棒状芯材３を保持する保持部４がボディ２と一体形成されている。尚、保持部４はボディ２と一体に構成せず、保持部４をボディ２とは別部品として形成しても構わない。
【００１１】
ここで、図１に示すタイプの棒状芯材３は、例えば鉛筆の芯のように、固形棒状をなす棒状芯材３で構成されており、一般的に眉毛に色を描き足せる用途のものとして使用される。
この棒状芯材３は、その先端が例えばクレヨンの先端部のように丸みを帯びて形成されており、眉などを描きやすい形状とされている。
【００１２】
ここで、保持部４には、ボディ２の先端側に向かって開口を有する取付孔５が設けられており、この取付孔５に前記棒状芯材３の大部分が嵌め込まれて棒状芯材３が取り付けられている。
【００１３】
前記取付孔５に嵌め込んだ棒状芯材３であるが、その先端部分、すなわち筆先部分は、取付孔５から外側に向かって露出し、突出するように取り付けられる。そして、この外側に露出し、突出する棒状芯材３の先端部分で眉を所定の色で描き足すものとなる。よって、外側に露出し、突出する棒状芯材３の先端部分がすり減ってなくなれば本実施例の塗布具１は使用期間満了となる。このように、本発明の塗布具１は短期間使用型の塗布具１であるため前記の様な簡単な構造としている。
【００１４】
尚、この塗布具１は、前記取付孔５に棒状芯材３を嵌め込む構造であるため、棒状芯材３の長さが異なるものを取り替えて簡単に取り付けられる。よって、長さの異なる棒状芯材３の変更のみで、使用期間を変更した塗布具１が数種類提供できることにもなる。すなわち、外側に露出し、突出する棒状芯材３の先端部分の長さを種々変えて取付孔５に棒状芯材３を取り付けることが出来るのである。
【００１５】
ここで、保持部４の外形は、取り付けられる棒状芯材３の先端側に向かってやや先細り状になるよう形成されており、また、保持部４の外形基端側の外周面は、内部に円状空間を有する円筒状をなすキャップ部材６におけるキャップ口７の円状空間内周面が密着して嵌り込む略円柱状の形状として構成されている。
【００１６】
そして、前記保持部４の基端側の外周面は若干波状の凹凸面として形成され、前記キャップ部材６のキャップ口７の円状空間内周面も前記保持部４の外周面に形成された波状の凹凸面に嵌合する凹凸面に形成され、キャップ部材６を保持部４に嵌め込んだとき、前記双方の凹凸面が嵌合して、キャップ部材６が容易に抜けない構成になっている。    
また、前記キャップ部材６の内部において気密性が担保できる構成にすべく、キャップ部材６も先端側に向かって先細りとなる形状にしておくことが好ましい。
【００１７】
尚、前記キャップ部材６を保持部４に嵌め込むことにより、保持部４に設けられた取付孔５には、その外周面側から軸芯方向中心部に向かって、すなわち、保持部４の径方向に向かって前記嵌合による締め付け押圧力が加わり、該取付孔５に嵌め込まれた棒状芯材３を締め付けて保持することにもなる。これによって棒状芯材３は保持部４から簡単に抜けない。
【００１８】
符号８は尾栓を示す。この尾栓８の外周面には、図に示すように係止片１０が外側に張り出して設けられている。よって、尾栓８をボディ２の後端開口からボディ２の内部空間に嵌め込んだとき、前記係止片１０がボディ２の後端開口における端面に当接し、尾栓８のボディ２への挿入しすぎを防止する構成になっている。
【００１９】
符号１１は尾栓８の軸芯方向に設けられた伸縮用空洞部である。該伸縮用空洞部１１は、尾栓８の軸芯方向に向かって略円柱状の空間として設けられており、この伸縮用空洞部１１により、尾栓８をボディ２の後端開口へ嵌め込んだとき、尾栓８は、ボディ２の径方向に伸縮し、弾発力をもって、ボディ２の後端開口へ嵌まり、容易に抜出することがない。尚、本実施例ではこの伸縮用空洞部１１の開口は塗布具１の先端側になっているが、逆に塗布具１の後端側に開口が向くよう構成しても構わない。
【００２０】
また、尾栓８の係止片１０が設けられた箇所から後方側の部分は、キャップ部材６の装着部１２として構成される。塗布具１の使用時には、この装着部１２にキャップ部材６を嵌め込み、塗布具１が使用しやすい長さとなるよう工夫されているのである（図２参照）。
【００２１】
すなわち、図２に示すように、本実施例による塗布具１の使用時には、キャップ部材６をボディ２の保持部４から外す。そして、そして外したキャップ部材６を尾栓８の装着部１２の嵌め込むのである。これにより本発明の塗布具１は、使用時にきわめて使用しやすい長さを確保することが出来る。すなわち、未使用時には短くコンパクトな形状の塗布具１として提供できるため、例えば、女性用の比較的小さなバッグ内に収納できるものとなっている。そして、使用時には尾栓８にキャップ部材６を装着し、長くすることが出来てアイブロウなどの化粧が非常にしやすい長さにすることができる。
【００２２】
尚、前述した伸縮用空洞部１１であるが、尾栓８の後端側から塗布部１の先端側に向かって、伸縮用空洞部１１における内径の大きさが徐々に大きくなるよう形成しても構わない。このような構成であれば、より尾栓８のボディ２への取り付け強度を高めることが出来る。さらに、ボディ２の内周面と尾栓８の外周面に各々嵌り合う凸部２０と凹部２１を形成しておくことが好ましい。また、図に示すように、伸縮用空洞部１１を構成する尾栓８の外周壁の肉厚を係止片１０の形成箇所から開口側に向かって厚くしておくことにより、さらに尾栓８のボディ２に対する取付強度を向上させることが出来る。
【００２３】
図３に本発明の第二実施例を示す。第二実施例では、図３から理解されるように、保持部４の先端から突出している棒状芯材３の先端部分の長さを塗布具使用中であっても変更できる塗布具１として構成したものである。すなわち、本実施例による塗布具１の使用者が使用によって外部に突出している棒状芯材３の先端部分、いわゆる筆先部分がすり減って消失したとき、さらに棒状芯材３の先端部分を外部に突出させる機構を創案したものである。
【００２４】
そのため、本実施例では、図３に示すように、尾栓８の構造に特徴を持たせた。本実施例での尾栓８は、ボディ２の後端開口に嵌り込む略円柱状をなす基部３０を有している。そして、この基部３０の先端側からは塗布具１の先端側に延出する若干長尺の操作杆３１を有している。さらに、操作杆３１の先端には、棒状芯材３を嵌入して取り付ける取付孔５が設けられている。しかして、この取付孔５に取り付けられた棒状芯材３の先端部分が保持部４の先端から外側に露出して突出しており、この先端部分すなわち、筆先部分でアイブロウ等の化粧が行われる。
【００２５】
尚、本実施例における塗布具１の販売当初状態のとき、基部３０は、図３に示すように、その後端部がボディ２内には嵌め込まれてはおらず、外部に露出して突出している。それはキャップ部材６を外してアイブロウなどを行うとき、この基部３０の突出部分を装着部１２として使用し、キャップ部材６を嵌め込めるようにしたためである。
【００２６】
しかして、この外側に突出する筆先部分が使用によりすり減って消失したとき、基部３０をボディ２内に押し込めば棒状芯材３の先端部分が保持部４の先端から再び突出するのである。
【００２７】
ここで、前記基部３０の外周面には、その軸芯方向に向け、間隔をあけて複数個の操作用突起３２が設けられており、これら操作用突起３２のうちいずれかの操作用突起３２はボディ２の後端部側内周面に設けられた操作用凹部３３と係合している。図３では、基部３０に設けられた３つの操作用突起３２のうち基部先端側よりの２つの操作用突起３２がボディ２の後端部側内周面に設けられた２つの操作用凹部３３と係合している。その状態で保持部４の先端から棒状芯材３の先端が外側に突出して、当初の筆先部分が形成されているのである。
【００２８】
ここで、当初の棒状芯材３の筆先部分が使用により消失すると、図３において、基部３０の後端部をボディ２内に押し込む。すると、基部３０の後端側に設けられた外部に露出している操作用突起３２がボディ２側に設けられた操作用凹部３３のうち後端部側の操作用凹部３３に嵌り込み、その間隔の長さだけ、尾栓８は塗布具１の先端側へ移動する。そして、この移動により保持部４の先端から棒状芯材３の先端部分が外側へ突出し、新たな筆先部分を形成するのである。
【００２９】
尚、この実施例において、ボディ２と基部３０との嵌合状態が強固の場合は、前記操作用突起３２や操作用凹部３３が形成されていなくとも基部３０をボディ２内に押し込み固定することが出来る。また、操作用突起３２か操作用凹部３３のいずれか一方のみ形成しておけば足りる場合もある。
【００３０】
次に、図４及び図５を参照して本発明の第三実施例につき説明する。
図４及び図５から理解されるように、本実施例による塗布具１は、その長手方向両側双方にアイラインあるいはアイブロウが行える筆先部分を構成した。
【００３１】
図４及び図５は一方側がアイブロウを行うペンシルタイプであり、他方側にはアイライン用のペンタイプあるいはブラシタイプの筆先とした塗布具１である。
【００３２】
本実施例による塗布具１は、略円筒状をなすボディ２を有している。そして、このボディ２の長手方向両端側には、アイブロウを行うペンシルタイプの棒状芯材３を保持する保持部４が、他方側にはアイライン用のペンタイプあるいはブラシタイプの棒状芯材３を保持する保持部４が形成されている。
【００３３】
ここで、図４及び図５を参照して説明すると、図に向かって塗布具１のボディ２の上側に位置する棒状芯材３は、ナイロンなど合成樹脂材を棒状ペンタイプの描画部材として構成しており、この棒状芯材３には、あらかじめ液状塗布材が染み込ませてある。そして、この染み込ませた液状塗布材がなくなるまで使用できるものとなる。すなわち、本実施例では、棒状芯材３の全体の長さを使用期間に見合った液状塗布材が染みこませられる長さに形成してあるのである。
【００３４】
このペンタイプの棒状芯材３であれば、ラインがぶれずに描きやすく、濃く発色させることもできる。また、比較的棒状芯材３の先端部につき、こしが強く形成でき、いわゆる使用の初心者であっても比較的、描きやすいという特徴がある。
【００３５】
尚、この棒状芯材３の長さが異なるものを、それぞれ用意し、それらを取り替えて取り付ければ、長さの異なる棒状芯材３の変更のみで、使用期間を短いものから長いものまで変更できる塗布具が数種類提供できることにもなる。
【００３６】
前記保持部４には、その軸芯方向に棒状芯材３が嵌挿する貫通保持孔５１が設けられている。そして、保持部４は、取り付けられる棒状芯材３の先端側に向かってやや先細り状になるようその外形が形成されており、また、保持部４の径方向外周面は、内部に円状空間を有する円筒状をなすキャップ部材６におけるキャップ口７の内部空間内周面が密着して嵌り込む略円柱状の形状として構成されている。
【００３７】
そして、前記保持部４の外周面を例えば軸芯方向に向かって若干波状をなす凹凸面として形成し、前記キャップ部材６のキャップ口７の内部空間内周面も前記保持部４の外周面に形成された凹凸面に嵌合する波状の凹凸面に形成すれば、キャップ部材６を保持部４に嵌め込んだとき、前記双方の凹凸面が嵌合して、キャップ部材６が容易に抜けない構成にすることが出来る。
【００３８】
また、前記キャップ部材６の内部の空間を出来るだけ狭くし、気密性を担保して、前記棒状芯材３に染みこんだ液状塗布材が乾かないように構成すべく、キャップ部材６を前記保持部４の場合と同様に先端側に向かって先細りとなる形状にしておくことが好ましい。
【００３９】
尚、前記キャップ部材６を保持部４に嵌め込むことにより、保持部４に設けられた貫通保持孔５１には、その外周面側から軸芯方向中心部に向かって、すなわち、保持部４の径方向に向かって前記嵌合による締め付け押圧力が加わり、該貫通保持孔５１を貫通する棒状芯材３を締め付けて保持することにもなる。これによって棒状芯材３は保持部４から簡単に引き抜けない。
【００４０】
さらに、保持部４と棒状芯材３の後端部との間には固定部材１６が介在しており、該固定部材１６の固定孔１９に棒状芯材３の後端部が嵌入して、棒状芯材３の後端部が該固定部材１６を介して保持部４に固定されるものとなっている。
しかも前記固定部材１６はボディ２の内部空間に嵌入しており、ボディ２内から容易に抜けない。
【００４１】
よって、棒状芯材３は、保持部４の先端側に設けられた係止壁１７に棒状芯材３の係止壁１８が係止すると共に、棒状芯材３の後端部が前記固定部材１６に固定され、もって、一層、保持部４から棒状芯材３が抜けないように構成されている。
【００４２】
尚、固定孔１９の底部には空間部２３が形成され、該空間部２３は、棒状芯材３に染み込んだ液状塗布材が容易にペン先側にはき出るよう空気流通機構を果たす空間となっている。さらに、たとえ、棒状芯材３が若干長さ方向に膨張したとしても固定部材１６が保持部４から外れないよう、前記棒状芯材３の長さを吸収する吸収空間の役目も果たしている。
ここで、前記保持部４と固定部材１６とは別部品で構成されているが、保持部４と固定部材１６とを一体形成したものであっても構わない。
【００４３】
図６は図５のＡ−Ａ線断面図である。図６に示すように、棒状芯材３は保持部４を軸芯方向に嵌挿してボディ２に取り付けられている。そして、棒状芯材３と保持部４との当接面部には空気流通溝２２となる空間が設けられており、該空気流通溝２２により、外部とボディ２の内部とを連通させて棒状芯材３に染み込んだ液状塗布材の流れをスムーズにし、ペン先でのかすれや液不足が起きないように構成されている。
【００４４】
ここで、この空気流通溝２２については、保持部４側に設けられているが、それに限定されない。棒状芯材３側に形成してもかまわない。また、この実施例では、空気流通溝２２は間隔をあけてリング状に４カ所設けられているが、設けられる箇所や個数についても何ら限定されるものではない。また、空気流通溝２２は、図７に示す様な形状の溝でも構わない。
【００４５】
本実施例による塗布具１の使用時には、ボディ２に取り付けられているキャップ部材６を保持部４から外す。尚、一方側のキャップ部材６のみを外すのであり、他方側のキャップ部材６は保持部４に嵌めたままであるから、使用しやすい長さは確保できている。
【００４６】
ところで、前述したナイロンなど合成樹脂材を棒状ペンタイプの描画部材として構成し、アイライン用の棒状芯材３としたものに替え、いわゆる毛筆の筆先と同じように例えば、細い線状をなす合成繊維を束ねてブラシ状にし、このブラシ状に束ねたものを棒状芯材３として使用することも出来る。この様なブラシ状の棒状芯材３は、染みこませる液状塗布材の量を前記のペンタイプより多く筆先内部に貯留できる。よってブラシ状の棒状芯材３の長さを短くしても、液切れしないため長期間の使用が期待出来る。
【００４７】
尚、本実施例のブラシタイプでは、筆先を毛筆の筆先のように細くすることが出来るため、もって細いラインを引く場合であっても確実に引くことが出来る。また太いラインを引きたい場合には、筆先を描画箇所側、すなわち顔側に押し付けて描画すれば、太いラインであっても確実に引くことができる。この様に、ブラシの毛にハリを持たせることが出来るため、細いラインから太いラインまで、自在に引くことが出来るとの特徴を有している。
【００４８】
次に、図４及び図５において、下側には、アイブロウ化粧用ペンシルタイプの棒状芯材３が取り付けられている。
この取付構造は図１及び図２に示す第一実施例で説明したとおりである。ここで、第一実施例と本実施例とにおいて異なる構造は、本実施例では、ボディ２と保持部４とを別部品として構成してあることである。
【００４９】
本発明者は、本件発明による短期間使用型の塗布具１を創案するに当たって、製造コストを安価にし、もって販売料金を安くすることを企図とした。そのため短期間使用型の塗布具１の各種シリーズを製造、販売するに当たり共通で使用出来る部品はなるべく共通で使用出来る構造とした。短期間使用型の各種シリーズにおける塗布具１の製造、販売に際しては共通仕様が出来る部品はなるべく共通にした方が製造コストを安価に出来るからである。
【００５０】
よって、ボディ２の形状についても、一方側についてのみ保持部４を一体形成し、他方側の端部には保持部４が一体形成されていないものであれば、この様なボディ２を各種の短期間使用型シリーズものにすべて使用することが出来、製造コストを安価になしうるのである。
【００５１】
図４及び図５を参照して、別部品で構成した保持部４の構成につき説明する。
別部品の保持部４は、図１及び図２に示す尾栓８の形状を利用し、これに棒状芯材３の取付孔５を有する取付部を設けて構成できる。
【００５２】
すなわち、別部品の保持部４は、尾栓状基部５２を有している。そして、この尾栓上記部５２の外周面には、図４及び図５に示すように係止片１０が外側に張り出して設けられている。よって、尾栓状基部５２をボディ２の後端開口からボディ２の内部空間に嵌め込んだとき、前記係止片１０がボディ２の後端開口における端面に当接し、尾栓状基部５２のボディ２への挿入しすぎを防止する構成になっている。
【００５３】
符号１１は尾栓状基部５２の軸芯方向に設けられた伸縮用空洞部である。該伸縮用空洞部１１は、尾栓状基部５２の軸芯方向に向かって略円柱状の空間として設けられており、この伸縮用空洞部１１により、尾栓状基部５２をボディ２の後端開口へ嵌め込んだとき、尾栓状基部５２は、ボディ２の径方向に伸縮し、弾発力をもって、ボディ２の後端開口へ嵌まり、容易に抜出することがない。
【００５４】
そして、尾栓状基部５２の係止片１０が設けられた箇所から後方側の部分は、キャップ部材６の装着部１２として構成される。本実施例の塗布具１の使用時、すなわち図４に向かって下側に位置する棒状芯材３の使用時には、この別部品の保持部４における尾栓状基部５２の装着部１２にキャップ部材６を嵌め込み、塗布具１が使用しやすい長さとなるよう工夫されているのである。
【００５５】
次に、図５に示すように、本実施例による塗布具１の使用時には、キャップ部材６をボディ２の保持部４から外して使用する。尚、反対側の保持部４にはキャップ部材６が尾栓８の装着部１２にあらかじめ嵌め込まれてあり、これにより本発明の塗布具１は、使用時にきわめて使用しやすい長さは確保されている。
【００５６】
尚、前述した伸縮用空洞部１１であるが、尾栓状基部５２の後端側から塗布部１の先端側に向かって、伸縮用空洞部１１における内径の大きさが徐々に大きくなるよう形成し、ボディ２の内周面を中から押し上げる弾発力を持たせて形成しても構わない。このような構成であれば、より尾栓状基部５２のボディ２への取り付け強度を高めることが出来る。さらに、ボディ２の内周面と尾栓状基部５２の外周面に各々嵌り合う凸部２０と凹部２１を形成しておくことが好ましい。さらに、図４及び図５に示すように、伸縮用空洞部１１を構成する尾栓状基部５２の外周壁の肉厚を係止片１０の形成箇所から開口側に向かって厚くしておくことにより、さらに尾栓状基部５２のボディ２に対する取付強度を向上させることが出来る。
【００５７】
なお、ボディ２につき、その長手方向両端側に保持部４を一体成形したボディ２を使用しても構わないものである。
【００５８】
また、塗布具１につき前述した双方使用タイプについては、一方側の棒状芯材３について、ナイロンなど合成樹脂材を棒状ペンタイプの描画部材として構成し、アイライン用の棒状心材３としたものにし、他方側の棒状芯材３については、いわゆる毛筆の筆先と同じように例えば、細い線状をなす合成繊維を束ねてブラシ状にし、このブラシ状に束ねたものを棒状芯材３として使用する双方使用タイプにしても構わないものである。
【００５９】
この様なブラシ状の棒状芯材３は、染みこませる液状塗布材の量を前記のペンタイプより多く筆先内部に貯留できる。よってブラシ状の棒状芯材３の長さを短くしても、液切れしないため長期間の使用が期待出来る。
【００６０】
尚、本実施例のブラシタイプでは、筆先を毛筆の筆先のように細くすることが出来るため、もって細いラインを引く場合であっても確実に引くことが出来る。また太いラインを引きたい場合には、筆先を描画箇所側、すなわち顔側に押し付けて描画すれば、太いラインであっても確実に引くことができる。この様に、ブラシの毛にハリを持たせることが出来るため、細いラインから太いラインまで、自在に引くことが出来るとの特徴を有している。
【符号の説明】
【００６１】
１      塗布具
２      ボディ
３      棒状芯材
４      保持部
５      取付孔
６      キャップ部材
７      キャップ口
８      尾栓
１０    係止片
１１    伸縮用空洞部
１２    装着部
１６    固定部材
１７    係止壁
１８    係止壁
１９    固定孔
２０    係止凸部
２１    係止凹部
２２    空気流通溝
２３    空間部
３０    基部
３１    操作杆
３２    操作用突起
３３    操作用凹部
５１    貫通取付孔
５２    尾栓状基部  
【図１】
2019136445.tif 000003
【図２】
2019136445.tif 000004
【図３】
2019136445.tif 000005
【図４】
2019136445.tif 000006
【図５】
2019136445.tif 000007
【図６】
2019136445.tif 000008
【図７】
2019136445.tif 000009
【手続補正書】
【提出日】平成30年6月19日(2018.6.19)
【手続補正１】
【補正対象書類名】特許請求の範囲
【補正対象項目名】全文
【補正方法】変更
【補正の内容】
【特許請求の範囲】
【請求項１】
略円筒状をなし、先端部には棒状芯材を保持する保持部を有するボディと、前記保持部に嵌り込んでキャップするキャップ部材と、前記ボディの後端部に嵌入して取り付けられる尾栓と、前記尾栓の後端には、前記キャップが嵌り込むキャップ装着部が設けられ、
前記保持部には取付孔が設けられ、該取付孔には棒状芯材が嵌め込まれて取付孔から外側に露出する筆先が形成されてなり、
前記棒状芯材は、先端部に丸みを帯びさせ眉が描きやすい鉛筆の芯の如き固形棒状をなして形成され、
前記取付孔には、棒状芯材の大部分が嵌め込まれて取り付けられ、前記外側に露出する前記筆先がすり減りなくなり時には塗布具の使用期間満了とし、
前記筆先の長さを変えるべく長さの異なる棒状芯材の変更のみで、前記使用期間を変更した塗布具が数種類提供可能とし、
未使用時には短くコンパクトな形状にして、女性用バッグ内に収納でき、使用時には、前記キャップ部材を前記尾栓のキャップ装着部に嵌め込み、アイブロウ化粧がしやすい長さにできる、
ことを特徴とした塗布具。
【請求項２】
略円筒状をなし、先端部には鉛筆の芯の如き固形棒状をなして形成された棒状芯材を保持する保持部を有するボディと、前記保持部に嵌り込んでキャップするキャップ部材と、前記ボディの後端部に嵌入して取り付けられる尾栓と、前記尾栓の後端には、前記キャップが嵌り込むキャップ装着部が設けられ、
前記尾栓は、ボディの後端開口に嵌り込む略円柱状をなす基部を有し、該基部の先端側からは塗布具の先端側に延出する操作杆を有し、該操作杆の先端には、前記棒状芯材を嵌入して取り付ける取付孔が設けられ、該取付孔に取り付けられた棒状芯材の先端部分は、前記保持部の先端から外側に露出して突出する筆先として形成され、
筆先を形成する棒状芯材のすり減り消失時には、前記基部のボディへの押し込みにより、保持部の先端から前記棒状芯材の先端部分を外側へ突出させ、新たな筆先部分を形成する、
ことを特徴とする塗布具。
【請求項３】
略円筒状をなし、先端部には鉛筆の芯の如き固形棒状をなして形成された棒状芯材を保持する保持部を有するボディと、前記保持部に嵌り込んでキャップするキャップ部材と、前記ボディの後端部に嵌入して取り付けられる尾栓と、前記尾栓の後端には、前記キャップが嵌り込むキャップ装着部が設けられ、
前記尾栓は、ボディの後端開口に嵌り込む略円柱状をなす基部を有し、該基部の先端側からは塗布具の先端側に延出する操作杆を有し、該操作杆の先端には、前記棒状芯材を嵌入して取り付ける取付孔が設けられ、該取付孔に取り付けられた棒状芯材の先端部分は、前記保持部の先端から外側に露出して突出する筆先として形成され、
前記尾栓の基部の外周面には、その軸芯方向に向け、間隔をあけて複数個の操作用突起が設けられ、設けられた操作用突起のうちいずれかの操作用突起が係合する操作用凹部がボディの後端部側内周面に設けられ、
筆先を形成する棒状芯材のすり減り消失時には、基部のボディへの押し込みにより、基部の操作用突起がボディ側に設けられた操作用凹部のうち後端部側の操作用凹部側に嵌り込み、その間隔の長さだけ、保持部の先端から棒状芯材の先端部分が外側へ突出させ、新たな筆先部分を形成する、
ことを特徴とする塗布具。
【請求項４】
略円筒状をなし、先端部には棒状芯材を保持する保持部を有するボディと、前記保持部の外周面に嵌り込んでキャップするキャップ部材とを有し、
前記保持部は、ボディの先端側に向かい先細り状の略円筒状に形成され、前記棒状芯材は固定部材を介して前記保持部に固定され、
固定部材は、ボディの内部空間に嵌入する基体と、該基体よりボディの先端側に向かって開口する固定孔を有して構成され、該固定孔には前記棒状芯材の後端部が嵌入して固定され、固定部材は保持部の基端側内壁に当接して固定され、
前記棒状芯材は、棒状芯材後端部の固定孔への嵌入と、保持部先端側に設けられた係止壁と棒状芯材に設けられた係止壁との係止により抜出不可とされ、
前記棒状芯材には、あらかじめ液状塗布材が染み込ませて、該棒状芯材は、染み込ませた液状塗布材がなくなるまでの使用とされてなり、
ボディの後端側には、棒状芯材を保持する保持部と、前記保持部に嵌り込んでキャップするキャップ部材と、を有し、
前記保持部には取付孔が設けられ、該取付孔には棒状芯材が嵌め込まれて取付孔から外側に露出する筆先が形成されてなり、
前記棒状芯材は、先端部に丸みを帯びさせ眉が描きやすい鉛筆の芯の如き固形棒状をなして形成され、
前記取付孔には、棒状芯材の大部分が嵌め込まれて取り付けられ、前記外側に露出する筆先がすり減りなくなり時に塗布具の使用期間満了とし、
前記筆先の長さを変えるべく長さの異なる棒状芯材の変更のみで、前記使用期間を変更した塗布具が数種類提供可能とした、
ことを特徴とする塗布具。
【請求項５】
前記尾栓には、前記ボディの後端部端面に係止する係止片が設けられた、
ことを特徴とする請求項１記載の塗布具。
【請求項６】
前記尾栓には、該尾栓の軸芯方向後端面に開口を有して軸芯方向に延びる伸縮用空洞部が設けられた、
ことを特徴とする請求項１又は請求項５記載の塗布具。  
【手続補正２】
【補正対象書類名】明細書
【補正対象項目名】全文
【補正方法】変更
【補正の内容】
【発明の詳細な説明】
【技術分野】
【０００１】
本発明は、例えばアイライナーやアイブロウのような化粧用具、あるいは頭髪や眉毛などの部分白髪染め具など、棒状芯材の先端部より所定箇所に描画して使用する塗布具に係り、特に一週間使用など短期間のみ使用する場合に対応出来るように創案された塗布具に関するものである。
【背景技術】
【０００２】
従来、アイブロウなど内部にいわゆるペンシルタイプの棒状芯材を取り付け、このペンシルタイプの棒状芯材先端部によって所定箇所に描画する塗布具が一般に知られている。
【０００３】
しかしながら、これら塗布具は、おおむね、数ヶ月間あるいは数年間の使用に対応すべく製造されており、例えば、ハロウィンの季節や仮装の必要がある場合など特殊なメイクを行う場合、前記の様な数ヶ月間あるいは数年間の使用に対応して製造、販売された塗布具であると、２乃至３回ほど使用した後には使用機会がなく、そのまま使用しないで廃棄してしまうとの課題があった。
【０００４】
ここで、ペンシルタイプの塗布具では、文字通り固形の芯で眉に色を描き足せるもので比較的小回りのきく鉛筆のようなタイプであり、ぼかしやすくナチュラルに仕上げることが出来る。また、きりっとした立体的な印象に仕上げることも出来る。さらに、部分的なすき間を埋めたり、目尻や輪郭などのラインを描くときに好ましいアイテムとなる。
【先行技術文献】
【特許文献】
【０００５】
【特許文献１】特開平１１−４８６７８号公報
【特許文献２】特開２０１３−１０２９１０号公報
【特許文献３】特開２００４−３４４８５８号公報
【発明の概要】
【発明が解決しようとする課題】
【０００６】
かくして、本発明による塗布具は、前記従来の課題を解決するために創案されたものであって、外形のサイズを出来る限りコンパクトにしうると共に、使用時には使いやすい長さにセット出来、さらには一週間程度の短期間の使用に対応させて使用部品等を大幅に削減させ、もって製造コストを安価にした塗布具を提供することを目的とするものである。
【課題を解決するための手段】
【０００７】
本発明による塗布具は、
略円筒状をなし、先端部には棒状芯材を保持する保持部を有するボディと、前記保持部に嵌り込んでキャップするキャップ部材と、前記ボディの後端部に嵌入して取り付けられる尾栓と、前記尾栓の後端には、前記キャップが嵌り込むキャップ装着部が設けられ、
前記保持部には取付孔が設けられ、該取付孔には棒状芯材が嵌め込まれて取付孔から外側に露出する筆先が形成されてなり、
前記棒状芯材は、先端部に丸みを帯びさせ眉が描きやすい鉛筆の芯の如き固形棒状をなして形成され、
前記取付孔には、棒状芯材の大部分が嵌め込まれて取り付けられ、前記外側に露出する前記筆先がすり減りなくなり時には塗布具の使用期間満了とし、
前記筆先の長さを変えるべく長さの異なる棒状芯材の変更のみで、前記使用期間を変更した塗布具が数種類提供可能とし、
未使用時には短くコンパクトな形状にして、女性用バッグ内に収納でき、使用時には、前記キャップ部材を前記尾栓のキャップ装着部に嵌め込み、アイブロウ化粧がしやすい長さにできる、
ことを特徴とし、
または、
略円筒状をなし、先端部には鉛筆の芯の如き固形棒状をなして形成された棒状芯材を保持する保持部を有するボディと、前記保持部に嵌り込んでキャップするキャップ部材と、前記ボディの後端部に嵌入して取り付けられる尾栓と、前記尾栓の後端には、前記キャップが嵌り込むキャップ装着部が設けられ、
前記尾栓は、ボディの後端開口に嵌り込む略円柱状をなす基部を有し、該基部の先端側からは塗布具の先端側に延出する操作杆を有し、該操作杆の先端には、前記棒状芯材を嵌入して取り付ける取付孔が設けられ、該取付孔に取り付けられた棒状芯材の先端部分は、前記保持部の先端から外側に露出して突出する筆先として形成され、
筆先を形成する棒状芯材のすり減り消失時には、前記基部のボディへの押し込みにより、保持部の先端から前記棒状芯材の先端部分を外側へ突出させ、新たな筆先部分を形成する、
ことを特徴とし、
または、
略円筒状をなし、先端部には鉛筆の芯の如き固形棒状をなして形成された棒状芯材を保持する保持部を有するボディと、前記保持部に嵌り込んでキャップするキャップ部材と、前記ボディの後端部に嵌入して取り付けられる尾栓と、前記尾栓の後端には、前記キャップが嵌り込むキャップ装着部が設けられ、
前記尾栓は、ボディの後端開口に嵌り込む略円柱状をなす基部を有し、該基部の先端側からは塗布具の先端側に延出する操作杆を有し、該操作杆の先端には、前記棒状芯材を嵌入して取り付ける取付孔が設けられ、該取付孔に取り付けられた棒状芯材の先端部分は、前記保持部の先端から外側に露出して突出する筆先として形成され、
前記尾栓の基部の外周面には、その軸芯方向に向け、間隔をあけて複数個の操作用突起が設けられ、設けられた操作用突起のうちいずれかの操作用突起が係合する操作用凹部がボディの後端部側内周面に設けられ、
筆先を形成する棒状芯材のすり減り消失時には、基部のボディへの押し込みにより、基部の操作用突起がボディ側に設けられた操作用凹部のうち後端部側の操作用凹部側に嵌り込み、その間隔の長さだけ、保持部の先端から棒状芯材の先端部分が外側へ突出させ、新たな筆先部分を形成する、
ことを特徴とし、
または、
略円筒状をなし、先端部には棒状芯材を保持する保持部を有するボディと、前記保持部の外周面に嵌り込んでキャップするキャップ部材とを有し、
前記保持部は、ボディの先端側に向かい先細り状の略円筒状に形成され、前記棒状芯材は固定部材を介して前記保持部に固定され、
固定部材は、ボディの内部空間に嵌入する基体と、該基体よりボディの先端側に向かって開口する固定孔を有して構成され、該固定孔には前記棒状芯材の後端部が嵌入して固定され、固定部材は保持部の基端側内壁に当接して固定され、
前記棒状芯材は、棒状芯材後端部の固定孔への嵌入と、保持部先端側に設けられた係止壁と棒状芯材に設けられた係止壁との係止により抜出不可とされ、
前記棒状芯材には、あらかじめ液状塗布材が染み込ませて、該棒状芯材は、染み込ませた液状塗布材がなくなるまでの使用とされてなり、
ボディの後端側には、棒状芯材を保持する保持部と、前記保持部に嵌り込んでキャップするキャップ部材と、を有し、
前記保持部には取付孔が設けられ、該取付孔には棒状芯材が嵌め込まれて取付孔から外側に露出する筆先が形成されてなり、
前記棒状芯材は、先端部に丸みを帯びさせ眉が描きやすい鉛筆の芯の如き固形棒状をなして形成され、
前記取付孔には、棒状芯材の大部分が嵌め込まれて取り付けられ、前記外側に露出する筆先がすり減りなくなり時に塗布具の使用期間満了とし、
前記筆先の長さを変えるべく長さの異なる棒状芯材の変更のみで、前記使用期間を変更した塗布具が数種類提供可能とした、
ことを特徴とし、
または、
前記尾栓には、前記ボディの後端部端面に係止する係止片が設けられた、
ことを特徴とし、
または、
前記尾栓には、該尾栓の軸芯方向後端面に開口を有して軸芯方向に延びる伸縮用空洞部が設けられた、
ことを特徴とするものである。
【発明の効果】
【０００８】
本発明による塗布具であれば、形のサイズを出来る限りコンパクトにしうると共に、使用時には使いやすい長さにセット出来、さらには一週間程度の短期間の使用に対応させて使用部品を削減でき、もって製造コストを安価にした塗布具を提供できるとの優れた効果を奏する。
【図面の簡単な説明】
【０００９】
【図１】本発明の第一実施例による塗布具の構成を説明する説明図（１）である。
【図２】本発明の第一実施例による塗布具の構成を説明する説明図（２）である。
【図３】本発明の第二実施例による塗布具の構成を説明する説明図である。
【図４】本発明の第三実施例による塗布具の構成を説明する説明図（１）である。
【図５】本発明の第三実施例による塗布具の構成を説明する説明図（２）である。
【図６】図２、図４のＡ−Ａ線断面図である。
【図７】空気流通溝の他の実施例を示す断面図である。
【発明を実施するための形態】
【００１０】
以下、図１及び図２に基づいて本発明の第一実施例による塗布具１の構成を説明する。
本発明による塗布具１は、略円筒状をなすボディ２を有している。そして、このボディ２の先端部には、棒状芯材３を保持する保持部４がボディ２と一体形成されている。尚、保持部４はボディ２と一体に構成せず、保持部４をボディ２とは別部品として形成しても構わない。
【００１１】
ここで、図１に示すタイプの棒状芯材３は、例えば鉛筆の芯のように、固形棒状をなす棒状芯材３で構成されており、一般的に眉毛に色を描き足せる用途のものとして使用される。
この棒状芯材３は、その先端が例えばクレヨンの先端部のように丸みを帯びて形成されており、眉などを描きやすい形状とされている。
【００１２】
ここで、保持部４には、ボディ２の先端側に向かって開口を有する取付孔５が設けられており、この取付孔５に前記棒状芯材３の大部分が嵌め込まれて棒状芯材３が取り付けられている。
【００１３】
前記取付孔５に嵌め込んだ棒状芯材３であるが、その先端部分、すなわち筆先部分は、取付孔５から外側に向かって露出し、突出するように取り付けられる。そして、この外側に露出し、突出する棒状芯材３の先端部分で眉を所定の色で描き足すものとなる。よって、外側に露出し、突出する棒状芯材３の先端部分がすり減ってなくなれば本実施例の塗布具１は使用期間満了となる。このように、本発明の塗布具１は短期間使用型の塗布具１であるため前記の様な簡単な構造としている。
【００１４】
尚、この塗布具１は、前記取付孔５に棒状芯材３を嵌め込む構造であるため、棒状芯材３の長さが異なるものを取り替えて簡単に取り付けられる。よって、長さの異なる棒状芯材３の変更のみで、使用期間を変更した塗布具１が数種類提供できることにもなる。すなわち、外側に露出し、突出する棒状芯材３の先端部分の長さを種々変えて取付孔５に棒状芯材３を取り付けることが出来るのである。
【００１５】
ここで、保持部４の外形は、取り付けられる棒状芯材３の先端側に向かってやや先細り状になるよう形成されており、また、保持部４の外形基端側の外周面は、内部に円状空間を有する円筒状をなすキャップ部材６におけるキャップ口７の円状空間内周面が密着して嵌り込む略円柱状の形状として構成されている。
【００１６】
そして、前記保持部４の基端側の外周面は若干波状の凹凸面として形成され、前記キャップ部材６のキャップ口７の円状空間内周面も前記保持部４の外周面に形成された波状の凹凸面に嵌合する凹凸面に形成され、キャップ部材６を保持部４に嵌め込んだとき、前記双方の凹凸面が嵌合して、キャップ部材６が容易に抜けない構成になっている。    
また、前記キャップ部材６の内部において気密性が担保できる構成にすべく、キャップ部材６も先端側に向かって先細りとなる形状にしておくことが好ましい。
【００１７】
尚、前記キャップ部材６を保持部４に嵌め込むことにより、保持部４に設けられた取付孔５には、その外周面側から軸芯方向中心部に向かって、すなわち、保持部４の径方向に向かって前記嵌合による締め付け押圧力が加わり、該取付孔５に嵌め込まれた棒状芯材３を締め付けて保持することにもなる。これによって棒状芯材３は保持部４から簡単に抜けない。
【００１８】
符号８は尾栓を示す。この尾栓８の外周面には、図に示すように係止片１０が外側に張り出して設けられている。よって、尾栓８をボディ２の後端開口からボディ２の内部空間に嵌め込んだとき、前記係止片１０がボディ２の後端開口における端面に当接し、尾栓８のボディ２への挿入しすぎを防止する構成になっている。
【００１９】
符号１１は尾栓８の軸芯方向に設けられた伸縮用空洞部である。該伸縮用空洞部１１は、尾栓８の軸芯方向に向かって略円柱状の空間として設けられており、この伸縮用空洞部１１により、尾栓８をボディ２の後端開口へ嵌め込んだとき、尾栓８は、ボディ２の径方向に伸縮し、弾発力をもって、ボディ２の後端開口へ嵌まり、容易に抜出することがない。尚、本実施例ではこの伸縮用空洞部１１の開口は塗布具１の先端側になっているが、逆に塗布具１の後端側に開口が向くよう構成しても構わない。
【００２０】
また、尾栓８の係止片１０が設けられた箇所から後方側の部分は、キャップ部材６の装着部１２として構成される。塗布具１の使用時には、この装着部１２にキャップ部材６を嵌め込み、塗布具１が使用しやすい長さとなるよう工夫されているのである（図２参照）。
【００２１】
すなわち、図２に示すように、本実施例による塗布具１の使用時には、キャップ部材６をボディ２の保持部４から外す。そして、そして外したキャップ部材６を尾栓８の装着部１２の嵌め込むのである。これにより本発明の塗布具１は、使用時にきわめて使用しやすい長さを確保することが出来る。すなわち、未使用時には短くコンパクトな形状の塗布具１として提供できるため、例えば、女性用の比較的小さなバッグ内に収納できるものとなっている。そして、使用時には尾栓８にキャップ部材６を装着し、長くすることが出来てアイブロウなどの化粧が非常にしやすい長さにすることができる。
【００２２】
尚、前述した伸縮用空洞部１１であるが、尾栓８の後端側から塗布部１の先端側に向かって、伸縮用空洞部１１における内径の大きさが徐々に大きくなるよう形成しても構わない。このような構成であれば、より尾栓８のボディ２への取り付け強度を高めることが出来る。さらに、ボディ２の内周面と尾栓８の外周面に各々嵌り合う凸部２０と凹部２１を形成しておくことが好ましい。また、図に示すように、伸縮用空洞部１１を構成する尾栓８の外周壁の肉厚を係止片１０の形成箇所から開口側に向かって厚くしておくことにより、さらに尾栓８のボディ２に対する取付強度を向上させることが出来る。
【００２３】
図３に本発明の第二実施例を示す。第二実施例では、図３から理解されるように、保持部４の先端から突出している棒状芯材３の先端部分の長さを塗布具使用中であっても変更できる塗布具１として構成したものである。すなわち、本実施例による塗布具１の使用者が使用によって外部に突出している棒状芯材３の先端部分、いわゆる筆先部分がすり減って消失したとき、さらに棒状芯材３の先端部分を外部に突出させる機構を創案したものである。
【００２４】
そのため、本実施例では、図３に示すように、尾栓８の構造に特徴を持たせた。本実施例での尾栓８は、ボディ２の後端開口に嵌り込む略円柱状をなす基部３０を有している。そして、この基部３０の先端側からは塗布具１の先端側に延出する若干長尺の操作杆３１を有している。さらに、操作杆３１の先端には、棒状芯材３を嵌入して取り付ける取付孔５が設けられている。しかして、この取付孔５に取り付けられた棒状芯材３の先端部分が保持部４の先端から外側に露出して突出しており、この先端部分すなわち、筆先部分でアイブロウ等の化粧が行われる。
【００２５】
尚、本実施例における塗布具１の販売当初状態のとき、基部３０は、図３に示すように、その後端部がボディ２内には嵌め込まれてはおらず、外部に露出して突出している。それはキャップ部材６を外してアイブロウなどを行うとき、この基部３０の突出部分を装着部１２として使用し、キャップ部材６を嵌め込めるようにしたためである。
【００２６】
しかして、この外側に突出する筆先部分が使用によりすり減って消失したとき、基部３０をボディ２内に押し込めば棒状芯材３の先端部分が保持部４の先端から再び突出するのである。
【００２７】
ここで、前記基部３０の外周面には、その軸芯方向に向け、間隔をあけて複数個の操作用突起３２が設けられており、これら操作用突起３２のうちいずれかの操作用突起３２はボディ２の後端部側内周面に設けられた操作用凹部３３と係合している。図３では、基部３０に設けられた３つの操作用突起３２のうち基部先端側よりの２つの操作用突起３２がボディ２の後端部側内周面に設けられた２つの操作用凹部３３と係合している。その状態で保持部４の先端から棒状芯材３の先端が外側に突出して、当初の筆先部分が形成されているのである。
【００２８】
ここで、当初の棒状芯材３の筆先部分が使用により消失すると、図３において、基部３０の後端部をボディ２内に押し込む。すると、基部３０の後端側に設けられた外部に露出している操作用突起３２がボディ２側に設けられた操作用凹部３３のうち後端部側の操作用凹部３３に嵌り込み、その間隔の長さだけ、尾栓８は塗布具１の先端側へ移動する。そして、この移動により保持部４の先端から棒状芯材３の先端部分が外側へ突出し、新たな筆先部分を形成するのである。
【００２９】
尚、この実施例において、ボディ２と基部３０との嵌合状態が強固の場合は、前記操作用突起３２や操作用凹部３３が形成されていなくとも基部３０をボディ２内に押し込み固定することが出来る。また、操作用突起３２か操作用凹部３３のいずれか一方のみ形成しておけば足りる場合もある。
【００３０】
次に、図４及び図５を参照して本発明の第三実施例につき説明する。
図４及び図５から理解されるように、本実施例による塗布具１は、その長手方向両側双方にアイラインあるいはアイブロウが行える筆先部分を構成した。
【００３１】
図４及び図５は一方側がアイブロウを行うペンシルタイプであり、他方側にはアイライン用のペンタイプあるいはブラシタイプの筆先とした塗布具１である。
【００３２】
本実施例による塗布具１は、略円筒状をなすボディ２を有している。そして、このボディ２の長手方向両端側には、アイブロウを行うペンシルタイプの棒状芯材３を保持する保持部４が、他方側にはアイライン用のペンタイプあるいはブラシタイプの棒状芯材３を保持する保持部４が形成されている。
【００３３】
ここで、図４及び図５を参照して説明すると、図に向かって塗布具１のボディ２の上側に位置する棒状芯材３は、ナイロンなど合成樹脂材を棒状ペンタイプの描画部材として構成しており、この棒状芯材３には、あらかじめ液状塗布材が染み込ませてある。そして、この染み込ませた液状塗布材がなくなるまで使用できるものとなる。すなわち、本実施例では、棒状芯材３の全体の長さを使用期間に見合った液状塗布材が染みこませられる長さに形成してあるのである。
【００３４】
このペンタイプの棒状芯材３であれば、ラインがぶれずに描きやすく、濃く発色させることもできる。また、比較的棒状芯材３の先端部につき、こしが強く形成でき、いわゆる使用の初心者であっても比較的、描きやすいという特徴がある。
【００３５】
尚、この棒状芯材３の長さが異なるものを、それぞれ用意し、それらを取り替えて取り付ければ、長さの異なる棒状芯材３の変更のみで、使用期間を短いものから長いものまで変更できる塗布具が数種類提供できることにもなる。
【００３６】
前記保持部４には、その軸芯方向に棒状芯材３が嵌挿する貫通保持孔５１が設けられている。そして、保持部４は、取り付けられる棒状芯材３の先端側に向かってやや先細り状になるようその外形が形成されており、また、保持部４の径方向外周面は、内部に円状空間を有する円筒状をなすキャップ部材６におけるキャップ口７の内部空間内周面が密着して嵌り込む略円柱状の形状として構成されている。
【００３７】
そして、前記保持部４の外周面を例えば軸芯方向に向かって若干波状をなす凹凸面として形成し、前記キャップ部材６のキャップ口７の内部空間内周面も前記保持部４の外周面に形成された凹凸面に嵌合する波状の凹凸面に形成すれば、キャップ部材６を保持部４に嵌め込んだとき、前記双方の凹凸面が嵌合して、キャップ部材６が容易に抜けない構成にすることが出来る。
【００３８】
また、前記キャップ部材６の内部の空間を出来るだけ狭くし、気密性を担保して、前記棒状芯材３に染みこんだ液状塗布材が乾かないように構成すべく、キャップ部材６を前記保持部４の場合と同様に先端側に向かって先細りとなる形状にしておくことが好ましい。
【００３９】
尚、前記キャップ部材６を保持部４に嵌め込むことにより、保持部４に設けられた貫通保持孔５１には、その外周面側から軸芯方向中心部に向かって、すなわち、保持部４の径方向に向かって前記嵌合による締め付け押圧力が加わり、該貫通保持孔５１を貫通する棒状芯材３を締め付けて保持することにもなる。これによって棒状芯材３は保持部４から簡単に引き抜けない。
【００４０】
さらに、保持部４と棒状芯材３の後端部との間には固定部材１６が介在しており、該固定部材１６の固定孔１９に棒状芯材３の後端部が嵌入して、棒状芯材３の後端部が該固定部材１６を介して保持部４に固定されるものとなっている。
しかも前記固定部材１６はボディ２の内部空間に嵌入しており、ボディ２内から容易に抜けない。
【００４１】
よって、棒状芯材３は、保持部４の先端側に設けられた係止壁１７に棒状芯材３の係止壁１８が係止すると共に、棒状芯材３の後端部が前記固定部材１６に固定され、もって、一層、保持部４から棒状芯材３が抜けないように構成されている。
【００４２】
尚、固定孔１９の底部には空間部２３が形成され、該空間部２３は、棒状芯材３に染み込んだ液状塗布材が容易にペン先側にはき出るよう空気流通機構を果たす空間となっている。さらに、たとえ、棒状芯材３が若干長さ方向に膨張したとしても固定部材１６が保持部４から外れないよう、前記棒状芯材３の長さを吸収する吸収空間の役目も果たしている。
ここで、前記保持部４と固定部材１６とは別部品で構成されているが、保持部４と固定部材１６とを一体形成したものであっても構わない。
【００４３】
図６は図５のＡ−Ａ線断面図である。図６に示すように、棒状芯材３は保持部４を軸芯方向に嵌挿してボディ２に取り付けられている。そして、棒状芯材３と保持部４との当接面部には空気流通溝２２となる空間が設けられており、該空気流通溝２２により、外部とボディ２の内部とを連通させて棒状芯材３に染み込んだ液状塗布材の流れをスムーズにし、ペン先でのかすれや液不足が起きないように構成されている。
【００４４】
ここで、この空気流通溝２２については、保持部４側に設けられているが、それに限定されない。棒状芯材３側に形成してもかまわない。また、この実施例では、空気流通溝２２は間隔をあけてリング状に４カ所設けられているが、設けられる箇所や個数についても何ら限定されるものではない。また、空気流通溝２２は、図７に示す様な形状の溝でも構わない。
【００４５】
本実施例による塗布具１の使用時には、ボディ２に取り付けられているキャップ部材６を保持部４から外す。尚、一方側のキャップ部材６のみを外すのであり、他方側のキャップ部材６は保持部４に嵌めたままであるから、使用しやすい長さは確保できている。
【００４６】
ところで、前述したナイロンなど合成樹脂材を棒状ペンタイプの描画部材として構成し、アイライン用の棒状芯材３としたものに替え、いわゆる毛筆の筆先と同じように例えば、細い線状をなす合成繊維を束ねてブラシ状にし、このブラシ状に束ねたものを棒状芯材３として使用することも出来る。この様なブラシ状の棒状芯材３は、染みこませる液状塗布材の量を前記のペンタイプより多く筆先内部に貯留できる。よってブラシ状の棒状芯材３の長さを短くしても、液切れしないため長期間の使用が期待出来る。
【００４７】
尚、本実施例のブラシタイプでは、筆先を毛筆の筆先のように細くすることが出来るため、もって細いラインを引く場合であっても確実に引くことが出来る。また太いラインを引きたい場合には、筆先を描画箇所側、すなわち顔側に押し付けて描画すれば、太いラインであっても確実に引くことができる。この様に、ブラシの毛にハリを持たせることが出来るため、細いラインから太いラインまで、自在に引くことが出来るとの特徴を有している。
【００４８】
次に、図４及び図５において、下側には、アイブロウ化粧用ペンシルタイプの棒状芯材３が取り付けられている。
この取付構造は図１及び図２に示す第一実施例で説明したとおりである。ここで、第一実施例と本実施例とにおいて異なる構造は、本実施例では、ボディ２と保持部４とを別部品として構成してあることである。
【００４９】
本発明者は、本件発明による短期間使用型の塗布具１を創案するに当たって、製造コストを安価にし、もって販売料金を安くすることを企図とした。そのため短期間使用型の塗布具１の各種シリーズを製造、販売するに当たり共通で使用出来る部品はなるべく共通で使用出来る構造とした。短期間使用型の各種シリーズにおける塗布具１の製造、販売に際しては共通仕様が出来る部品はなるべく共通にした方が製造コストを安価に出来るからである。
【００５０】
よって、ボディ２の形状についても、一方側についてのみ保持部４を一体形成し、他方側の端部には保持部４が一体形成されていないものであれば、この様なボディ２を各種の短期間使用型シリーズものにすべて使用することが出来、製造コストを安価になしうるのである。
【００５１】
図４及び図５を参照して、別部品で構成した保持部４の構成につき説明する。
別部品の保持部４は、図１及び図２に示す尾栓８の形状を利用し、これに棒状芯材３の取付孔５を有する取付部を設けて構成できる。
【００５２】
すなわち、別部品の保持部４は、尾栓状基部５２を有している。そして、この尾栓上記部５２の外周面には、図４及び図５に示すように係止片１０が外側に張り出して設けられている。よって、尾栓状基部５２をボディ２の後端開口からボディ２の内部空間に嵌め込んだとき、前記係止片１０がボディ２の後端開口における端面に当接し、尾栓状基部５２のボディ２への挿入しすぎを防止する構成になっている。
【００５３】
符号１１は尾栓状基部５２の軸芯方向に設けられた伸縮用空洞部である。該伸縮用空洞部１１は、尾栓状基部５２の軸芯方向に向かって略円柱状の空間として設けられており、この伸縮用空洞部１１により、尾栓状基部５２をボディ２の後端開口へ嵌め込んだとき、尾栓状基部５２は、ボディ２の径方向に伸縮し、弾発力をもって、ボディ２の後端開口へ嵌まり、容易に抜出することがない。
【００５４】
そして、尾栓状基部５２の係止片１０が設けられた箇所から後方側の部分は、キャップ部材６の装着部１２として構成される。本実施例の塗布具１の使用時、すなわち図４に向かって下側に位置する棒状芯材３の使用時には、この別部品の保持部４における尾栓状基部５２の装着部１２にキャップ部材６を嵌め込み、塗布具１が使用しやすい長さとなるよう工夫されているのである。
【００５５】
次に、図５に示すように、本実施例による塗布具１の使用時には、キャップ部材６をボディ２の保持部４から外して使用する。尚、反対側の保持部４にはキャップ部材６が尾栓８の装着部１２にあらかじめ嵌め込まれてあり、これにより本発明の塗布具１は、使用時にきわめて使用しやすい長さは確保されている。
【００５６】
尚、前述した伸縮用空洞部１１であるが、尾栓状基部５２の後端側から塗布部１の先端側に向かって、伸縮用空洞部１１における内径の大きさが徐々に大きくなるよう形成し、ボディ２の内周面を中から押し上げる弾発力を持たせて形成しても構わない。このような構成であれば、より尾栓状基部５２のボディ２への取り付け強度を高めることが出来る。さらに、ボディ２の内周面と尾栓状基部５２の外周面に各々嵌り合う凸部２０と凹部２１を形成しておくことが好ましい。さらに、図４及び図５に示すように、伸縮用空洞部１１を構成する尾栓状基部５２の外周壁の肉厚を係止片１０の形成箇所から開口側に向かって厚くしておくことにより、さらに尾栓状基部５２のボディ２に対する取付強度を向上させることが出来る。
【００５７】
なお、ボディ２につき、その長手方向両端側に保持部４を一体成形したボディ２を使用しても構わないものである。
【００５８】
また、塗布具１につき前述した双方使用タイプについては、一方側の棒状芯材３について、ナイロンなど合成樹脂材を棒状ペンタイプの描画部材として構成し、アイライン用の棒状心材３としたものにし、他方側の棒状芯材３については、いわゆる毛筆の筆先と同じように例えば、細い線状をなす合成繊維を束ねてブラシ状にし、このブラシ状に束ねたものを棒状芯材３として使用する双方使用タイプにしても構わないものである。
【００５９】
この様なブラシ状の棒状芯材３は、染みこませる液状塗布材の量を前記のペンタイプより多く筆先内部に貯留できる。よってブラシ状の棒状芯材３の長さを短くしても、液切れしないため長期間の使用が期待出来る。
【００６０】
尚、本実施例のブラシタイプでは、筆先を毛筆の筆先のように細くすることが出来るため、もって細いラインを引く場合であっても確実に引くことが出来る。また太いラインを引きたい場合には、筆先を描画箇所側、すなわち顔側に押し付けて描画すれば、太いラインであっても確実に引くことができる。この様に、ブラシの毛にハリを持たせることが出来るため、細いラインから太いラインまで、自在に引くことが出来るとの特徴を有している。
【符号の説明】
【００６１】
１      塗布具
２      ボディ
３      棒状芯材
４      保持部
５      取付孔
６      キャップ部材
７      キャップ口
８      尾栓
１０    係止片
１１    伸縮用空洞部
１２    装着部
１６    固定部材
１７    係止壁
１８    係止壁
１９    固定孔
２０    係止凸部
２１    係止凹部
２２    空気流通溝
２３    空間部
３０    基部
３１    操作杆
３２    操作用突起
３３    操作用凹部
５１    貫通取付孔
５２    尾栓状基部
【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
略円筒状をなし、先端部には棒状芯材を保持する保持部を有するボディと、前記保持部に嵌り込んでキャップするキャップ部材と、前記ボディの後端部に嵌入して取り付けられる尾栓と、前記尾栓の後端には、前記キャップが嵌り込むキャップ装着部が設けられ、
前記保持部には、軸心方向に延出する取付孔が設けられ、該取付孔には棒状芯材の大部分が嵌め込まれて取付孔から外側に露出する筆先が形成されてなり、
前記棒状芯材は、先端部に丸みを帯びさせ眉が描きやすい鉛筆の芯の如き固形棒状をなして形成され、
前記取付孔には、棒状芯材の大部分が嵌め込まれて取り付けられ、前記外側に露出する前記筆先がすり減りなくなり時には塗布具の使用期間満了とし、
前記筆先の長さを変えるべく長さの異なる棒状芯材の変更のみで、前記使用期間を変更した塗布具が数種類提供可能とし、
未使用時には短くコンパクトな形状にして、女性用バッグ内に収納でき、使用時には、前記キャップ部材を前記尾栓のキャップ装着部に嵌め込み、アイブロウ化粧がしやすい長さに構成し、
前記保持部基端側の外周面は波状の凹凸面とされ、前記保持部に嵌り込むキャップ部材におけるキャップ口の円状空間内周面も前記保持部に形成された凹凸面に嵌合する凹凸面に形成され、キャップ部材を保持部に嵌め込んだとき、前記双方の凹凸面が嵌合して、キャップ部材が前記保持部から容易に抜けない構成とされると共に、前記キャップ部材を保持部に嵌め込むことにより、保持部に設けられた取付孔に、その外周面側から軸心方向中心部に向かって、前記嵌合による締め付け押圧力が加わり、該取付孔に嵌め込まれた棒状芯材を締め付けて保持される構成とし、
前記尾栓の外周面には、係止片が外側に張り出して設けられ、尾栓をボディの後端開口からボディ内部空間に嵌め込んだとき、前記係止片がボディの後端開口における端面に当接し、尾栓のボディへの挿入しすぎを防止する構成とし、尾栓には、尾栓の軸心方向一端側が開口し、軸心方向に向かって略円柱状の空間とされた伸縮用空洞部が設けられ、該伸縮用空洞部は、尾栓の後端側から塗布部の先端側に向かって、伸縮用空洞部における内径の大きさが徐々に大きくなるよう形成され、ボディの内周面と尾栓の外周面に各々嵌り合う凸部と凹部を形成して尾栓をボディ後端開口へ嵌め込んだとき、前記凸部と凹部を係止させると共に、尾栓をボディの径方向に伸張させ、弾発力をもって、ボディの後端開口へ嵌まって、前記尾栓のボディからの抜出を防止する構成とし、
前記尾栓の伸縮用空洞部の内壁と尾栓の外周壁との間の肉厚につき係止片の形成箇所から伸縮空洞部の前記開口側に向かう部分の肉厚を前記係止片から尾栓後端までの部分の肉厚より厚くし、尾栓のボディに対する取付強度を向上させた、
ことを特徴とした塗布具。
【請求項２】
略円筒状をなし、先端部には鉛筆の芯の如き固形棒状をなして形成された棒状芯材を保持する保持部を有するボディと、前記保持部に嵌り込んでキャップするキャップ部材と、前記ボディの後端部に嵌入して取り付けられる尾栓と、前記尾栓の後端には、前記キャップが嵌り込むキャップ装着部が設けられ、
前記尾栓は、ボディの後端開口に嵌り込む略円柱状をなす基部を有し、該基部の先端側からは塗布具の先端側に延出する操作杆を有し、該操作杆の先端には、前記棒状芯材を嵌入して取り付ける取付孔が設けられ、該取付孔に取り付けられた棒状芯材の先端部分は、前記保持部の先端から外側に露出して突出する筆先として形成され、
前記尾栓の基部の外周面には、その軸心方向に向け、間隔をあけて複数個の操作用突起が設けられ、設けられた操作用突起のうちいずれかの操作用突起が係合する操作用凹部がボディの後端部側内周面に設けられ、
筆先を形成する棒状芯材のすり減り消失時には、基部のボディへの押し込みにより、基部の操作用突起がボディ側に設けられた操作用凹部のうち後端部側の操作用凹部側に嵌り込み、その間隔の長さだけ、保持部の先端から棒状芯材の先端部分が外側へ突出させ、新たな筆先部分を形成する、
ことを特徴とする塗布具。
【請求項３】
略円筒状をなし、先端部には棒状芯材を保持する保持部を有するボディと、前記保持部の外周面に嵌り込んでキャップするキャップ部材とを有し、
前記保持部は、ボディの先端側に向かい先細り状の略円筒状に形成され、前記棒状芯材は固定部材を介して前記保持部に固定され、
固定部材は、ボディの内部空間に嵌入する基体と、該基体よりボディの先端側に向かって開口する固定孔を有して構成され、該固定孔には前記棒状芯材の後端部が嵌入して固定され、固定部材は保持部の基端側内壁に当接して固定され、
前記棒状芯材は、棒状芯材後端部の固定孔への嵌入と、保持部先端側に設けられた係止壁と棒状芯材に設けられた係止壁との係止により抜出不可とされ、
前記棒状芯材には、あらかじめ液状塗布材が染み込ませて、該棒状芯材は、染み込ませた液状塗布材がなくなるまでの使用とされてなり、
ボディの後端側には、棒状芯材を保持する、ボディと別部材で構成され、ボディの後端開口に嵌り込んで取り付けられる保持部と、前記保持部に嵌り込んでキャップするキャップ部材と、を有し、
前記別部材の保持部には、軸心方向に延出する取付孔が設けられ、該取付孔には棒状芯材が嵌め込まれて取付孔から外側に露出する筆先が形成されてなり、
前記棒状芯材は、先端部に丸みを帯びさせ眉が描きやすい鉛筆の芯の如き固形棒状をなして形成され、
前記取付孔には、棒状芯材の大部分が嵌め込まれて取り付けられ、前記外側に露出する筆先がすり減りなくなり時に塗布具の使用期間満了とし、
前記筆先の長さを変えるべく長さの異なる棒状芯材の変更のみで、前記使用期間を変更した塗布具が数種類提供可能とし、
前記別部品の保持部は、尾栓状基部を有し、該尾栓状基部の外周面には、外側に張り出す係止片が設けられ、前記別部材の保持部を尾栓状基部側からボディの後端開口に嵌め込んだとき、前記係止片がボディの後端開口における端面に当接し、尾栓状基部のボディへの挿入しすぎを防止する構成とし、
尾栓状基部の軸心方向には、軸心方向一端が開口し、軸心方向に向かって略円柱状の空間となる伸縮用空洞部が設けられ、尾栓状基部をボディへ嵌め込んだとき、尾栓状基部は、ボディの径方向に伸張し、弾発力をもって、ボディへ嵌まり、容易に抜出しない構成としてなり、
前記構成は、伸縮用空洞部につき尾栓状基部の後端側から塗布部の先端側に向かって、伸縮用空洞部における内径の大きさが徐々に大きくなるよう形成し、ボディの内周面を中から押し上げる弾発力を持たせて形成し、ボディの内周面と尾栓状基部の外周面に各々嵌り合う凸部と凹部を形成すると共に、伸縮用空洞部を構成する尾栓状基部の外周壁の肉厚につき係止片の形成箇所から開口側に向かう部分の肉厚を前記係止片から尾栓側に向かう部分の肉厚より厚くした、
ことを特徴とした塗布具。
【請求項４】
前記固定部材の固定孔に嵌入する棒状芯材は、合成樹脂材を棒状ペンタイプの描画部材にして構成した、
ことを特徴とした請求項３記載の塗布具。
【請求項５】
前記固定部材の固定孔に嵌入する棒状芯材は、線状をなす合成繊維を束ねてブラシ状にして形成した、
ことを特徴とした請求項３記載の塗布具。
【請求項６】
前記固定孔へ嵌入される前記棒状芯材の後端部と固定孔の底部との間には空間部が形成され、該空間部は前記棒状芯材に染みこんだ液状塗布材の空気流通機構の空間である、
こと特徴とした請求項３、請求項４または請求項５記載の塗布具。
【手続補正２】
【補正対象書類名】明細書
【補正対象項目名】全文
【補正方法】変更
【補正の内容】
【発明の詳細な説明】
【技術分野】
【０００１】
本発明は、例えばアイライナーやアイブロウのような化粧用具、あるいは頭髪や眉毛などの部分白髪染め具など、棒状芯材の先端部より所定箇所に描画して使用する塗布具に係り、特に一週間使用など短期間のみ使用する場合に対応出来るように創案された塗布具に関するものである。
【背景技術】
【０００２】
従来、アイブロウなど内部にいわゆるペンシルタイプの棒状芯材を取り付け、このペンシルタイプの棒状芯材先端部によって所定箇所に描画する塗布具が一般に知られている。
【０００３】
しかしながら、これら塗布具は、おおむね、数ヶ月間あるいは数年間の使用に対応すべく製造されており、例えば、ハロウィンの季節や仮装の必要がある場合など特殊なメイクを行う場合、前記の様な数ヶ月間あるいは数年間の使用に対応して製造、販売された塗布具であると、２乃至３回ほど使用した後には使用機会がなく、そのまま使用しないで廃棄してしまうとの課題があった。
【０００４】
ここで、ペンシルタイプの塗布具では、文字通り固形の芯で眉に色を描き足せるもので比較的小回りのきく鉛筆のようなタイプであり、ぼかしやすくナチュラルに仕上げることが出来る。また、きりっとした立体的な印象に仕上げることも出来る。さらに、部分的なすき間を埋めたり、目尻や輪郭などのラインを描くときに好ましいアイテムとなる。
【先行技術文献】
【特許文献】
【０００５】
【特許文献１】特開平１１−４８６７８号公報
【特許文献２】特開２０１３−１０２９１０号公報
【特許文献３】特開２００４−３４４８５８号公報
【発明の概要】
【発明が解決しようとする課題】
【０００６】
かくして、本発明による塗布具は、前記従来の課題を解決するために創案されたものであって、外形のサイズを出来る限りコンパクトにしうると共に、使用時には使いやすい長さにセット出来、さらには一週間程度の短期間の使用に対応させて使用部品等を大幅に削減させ、もって製造コストを安価にした塗布具を提供することを目的とするものである。
【課題を解決するための手段】
【０００７】
本発明による塗布具は、
略円筒状をなし、先端部には棒状芯材を保持する保持部を有するボディと、前記保持部に嵌り込んでキャップするキャップ部材と、前記ボディの後端部に嵌入して取り付けられる尾栓と、前記尾栓の後端には、前記キャップが嵌り込むキャップ装着部が設けられ、
前記保持部には、軸心方向に延出する取付孔が設けられ、該取付孔には棒状芯材の大部分が嵌め込まれて取付孔から外側に露出する筆先が形成されてなり、
前記棒状芯材は、先端部に丸みを帯びさせ眉が描きやすい鉛筆の芯の如き固形棒状をなして形成され、
前記取付孔には、棒状芯材の大部分が嵌め込まれて取り付けられ、前記外側に露出する前記筆先がすり減りなくなり時には塗布具の使用期間満了とし、
前記筆先の長さを変えるべく長さの異なる棒状芯材の変更のみで、前記使用期間を変更した塗布具が数種類提供可能とし、
未使用時には短くコンパクトな形状にして、女性用バッグ内に収納でき、使用時には、前記キャップ部材を前記尾栓のキャップ装着部に嵌め込み、アイブロウ化粧がしやすい長さに構成し、
前記保持部基端側の外周面は波状の凹凸面とされ、前記保持部に嵌り込むキャップ部材におけるキャップ口の円状空間内周面も前記保持部に形成された凹凸面に嵌合する凹凸面に形成され、キャップ部材を保持部に嵌め込んだとき、前記双方の凹凸面が嵌合して、キャップ部材が前記保持部から容易に抜けない構成とされると共に、前記キャップ部材を保持部に嵌め込むことにより、保持部に設けられた取付孔に、その外周面側から軸心方向中心部に向かって、前記嵌合による締め付け押圧力が加わり、該取付孔に嵌め込まれた棒状芯材を締め付けて保持される構成とし、
前記尾栓の外周面には、係止片が外側に張り出して設けられ、尾栓をボディの後端開口からボディ内部空間に嵌め込んだとき、前記係止片がボディの後端開口における端面に当接し、尾栓のボディへの挿入しすぎを防止する構成とし、尾栓には、尾栓の軸心方向一端側が開口し、軸心方向に向かって略円柱状の空間とされた伸縮用空洞部が設けられ、該伸縮用空洞部は、尾栓の後端側から塗布部の先端側に向かって、伸縮用空洞部における内径の大きさが徐々に大きくなるよう形成され、ボディの内周面と尾栓の外周面に各々嵌り合う凸部と凹部を形成して尾栓をボディ後端開口へ嵌め込んだとき、前記凸部と凹部を係止させると共に、尾栓をボディの径方向に伸張させ、弾発力をもって、ボディの後端開口へ嵌まって、前記尾栓のボディからの抜出を防止する構成とし、
前記尾栓の伸縮用空洞部の内壁と尾栓の外周壁との間の肉厚につき係止片の形成箇所から伸縮空洞部の前記開口側に向かう部分の肉厚を前記係止片から尾栓後端までの部分の肉厚より厚くし、尾栓のボディに対する取付強度を向上させた、
ことを特徴とし、
または、
略円筒状をなし、先端部には鉛筆の芯の如き固形棒状をなして形成された棒状芯材を保持する保持部を有するボディと、前記保持部に嵌り込んでキャップするキャップ部材と、前記ボディの後端部に嵌入して取り付けられる尾栓と、前記尾栓の後端には、前記キャップが嵌り込むキャップ装着部が設けられ、
前記尾栓は、ボディの後端開口に嵌り込む略円柱状をなす基部を有し、該基部の先端側からは塗布具の先端側に延出する操作杆を有し、該操作杆の先端には、前記棒状芯材を嵌入して取り付ける取付孔が設けられ、該取付孔に取り付けられた棒状芯材の先端部分は、前記保持部の先端から外側に露出して突出する筆先として形成され、
前記尾栓の基部の外周面には、その軸心方向に向け、間隔をあけて複数個の操作用突起が設けられ、設けられた操作用突起のうちいずれかの操作用突起が係合する操作用凹部がボディの後端部側内周面に設けられ、
筆先を形成する棒状芯材のすり減り消失時には、基部のボディへの押し込みにより、基部の操作用突起がボディ側に設けられた操作用凹部のうち後端部側の操作用凹部側に嵌り込み、その間隔の長さだけ、保持部の先端から棒状芯材の先端部分が外側へ突出させ、新たな筆先部分を形成する、
ことを特徴とし、
または、
略円筒状をなし、先端部には棒状芯材を保持する保持部を有するボディと、前記保持部の外周面に嵌り込んでキャップするキャップ部材とを有し、
前記保持部は、ボディの先端側に向かい先細り状の略円筒状に形成され、前記棒状芯材は固定部材を介して前記保持部に固定され、
固定部材は、ボディの内部空間に嵌入する基体と、該基体よりボディの先端側に向かって開口する固定孔を有して構成され、該固定孔には前記棒状芯材の後端部が嵌入して固定され、固定部材は保持部の基端側内壁に当接して固定され、
前記棒状芯材は、棒状芯材後端部の固定孔への嵌入と、保持部先端側に設けられた係止壁と棒状芯材に設けられた係止壁との係止により抜出不可とされ、
前記棒状芯材には、あらかじめ液状塗布材が染み込ませて、該棒状芯材は、染み込ませた液状塗布材がなくなるまでの使用とされてなり、
ボディの後端側には、棒状芯材を保持する、ボディと別部材で構成され、ボディの後端開口に嵌り込んで取り付けられる保持部と、前記保持部に嵌り込んでキャップするキャップ部材と、を有し、
前記別部材の保持部には、軸心方向に延出する取付孔が設けられ、該取付孔には棒状芯材が嵌め込まれて取付孔から外側に露出する筆先が形成されてなり、
前記棒状芯材は、先端部に丸みを帯びさせ眉が描きやすい鉛筆の芯の如き固形棒状をなして形成され、
前記取付孔には、棒状芯材の大部分が嵌め込まれて取り付けられ、前記外側に露出する筆先がすり減りなくなり時に塗布具の使用期間満了とし、
前記筆先の長さを変えるべく長さの異なる棒状芯材の変更のみで、前記使用期間を変更した塗布具が数種類提供可能とし、
前記別部品の保持部は、尾栓状基部を有し、該尾栓状基部の外周面には、外側に張り出す係止片が設けられ、前記別部材の保持部を尾栓状基部側からボディの後端開口に嵌め込んだとき、前記係止片がボディの後端開口における端面に当接し、尾栓状基部のボディへの挿入しすぎを防止する構成とし、
尾栓状基部の軸心方向には、軸心方向一端が開口し、軸心方向に向かって略円柱状の空間となる伸縮用空洞部が設けられ、尾栓状基部をボディへ嵌め込んだとき、尾栓状基部は、ボディの径方向に伸張し、弾発力をもって、ボディへ嵌まり、容易に抜出しない構成としてなり、
前記構成は、伸縮用空洞部につき尾栓状基部の後端側から塗布部の先端側に向かって、伸縮用空洞部における内径の大きさが徐々に大きくなるよう形成し、ボディの内周面を中から押し上げる弾発力を持たせて形成し、ボディの内周面と尾栓状基部の外周面に各々嵌り合う凸部と凹部を形成すると共に、伸縮用空洞部を構成する尾栓状基部の外周壁の肉厚につき係止片の形成箇所から開口側に向かう部分の肉厚を前記係止片から尾栓側に向かう部分の肉厚より厚くした、
ことを特徴とし、
または、
前記固定部材の固定孔に嵌入する棒状芯材は、合成樹脂材を棒状ペンタイプの描画部材にして構成した、
ことを特徴とし、
または、
前記固定部材の固定孔に嵌入する棒状芯材は、線状をなす合成繊維を束ねてブラシ状にして形成した、
または、
前記固定孔へ嵌入される前記棒状芯材の後端部と固定孔の底部との間には空間部が形成され、該空間部は前記棒状芯材に染みこんだ液状塗布材の空気流通機構の空間である、
ことを特徴とするものである。
【発明の効果】
【０００８】
本発明による塗布具であれば、形のサイズを出来る限りコンパクトにしうると共に、使用時には使いやすい長さにセット出来、さらには一週間程度の短期間の使用に対応させて使用部品を削減でき、もって製造コストを安価にした塗布具を提供できるとの優れた効果を奏する。
【図面の簡単な説明】
【０００９】
【図１】本発明の第一実施例による塗布具の構成を説明する説明図（１）である。
【図２】本発明の第一実施例による塗布具の構成を説明する説明図（２）である。
【図３】本発明の第二実施例による塗布具の構成を説明する説明図である。
【図４】本発明の第三実施例による塗布具の構成を説明する説明図（１）である。
【図５】本発明の第三実施例による塗布具の構成を説明する説明図（２）である。
【図６】図２、図４のＡ−Ａ線断面図である。
【図７】空気流通溝の他の実施例を示す断面図である。
【発明を実施するための形態】
【００１０】
以下、図１及び図２に基づいて本発明の第一実施例による塗布具１の構成を説明する。
本発明による塗布具１は、略円筒状をなすボディ２を有している。そして、このボディ２の先端部には、棒状芯材３を保持する保持部４がボディ２と一体形成されている。尚、保持部４はボディ２と一体に構成せず、保持部４をボディ２とは別部品として形成しても構わない。
【００１１】
ここで、図１に示すタイプの棒状芯材３は、例えば鉛筆の芯のように、固形棒状をなす棒状芯材３で構成されており、一般的に眉毛に色を描き足せる用途のものとして使用される。
この棒状芯材３は、その先端が例えばクレヨンの先端部のように丸みを帯びて形成されており、眉などを描きやすい形状とされている。
【００１２】
ここで、保持部４には、ボディ２の先端側に向かって開口を有する取付孔５が設けられており、この取付孔５に前記棒状芯材３の大部分が嵌め込まれて棒状芯材３が取り付けられている。
【００１３】
前記取付孔５に嵌め込んだ棒状芯材３であるが、その先端部分、すなわち筆先部分は、取付孔５から外側に向かって露出し、突出するように取り付けられる。そして、この外側に露出し、突出する棒状芯材３の先端部分で眉を所定の色で描き足すものとなる。よって、外側に露出し、突出する棒状芯材３の先端部分がすり減ってなくなれば本実施例の塗布具１は使用期間満了となる。このように、本発明の塗布具１は短期間使用型の塗布具１であるため前記の様な簡単な構造としている。
【００１４】
尚、この塗布具１は、前記取付孔５に棒状芯材３を嵌め込む構造であるため、棒状芯材３の長さが異なるものを取り替えて簡単に取り付けられる。よって、長さの異なる棒状芯材３の変更のみで、使用期間を変更した塗布具１が数種類提供できることにもなる。すなわち、外側に露出し、突出する棒状芯材３の先端部分の長さを種々変えて取付孔５に棒状芯材３を取り付けることが出来るのである。
【００１５】
ここで、保持部４の外形は、取り付けられる棒状芯材３の先端側に向かってやや先細り状になるよう形成されており、また、保持部４の外形基端側の外周面は、内部に円状空間を有する円筒状をなすキャップ部材６におけるキャップ口７の円状空間内周面が密着して嵌り込む略円柱状の形状として構成されている。
【００１６】
そして、前記保持部４の基端側の外周面は若干波状の凹凸面として形成され、前記キャップ部材６のキャップ口７の円状空間内周面も前記保持部４の外周面に形成された波状の凹凸面に嵌合する凹凸面に形成され、キャップ部材６を保持部４に嵌め込んだとき、前記双方の凹凸面が嵌合して、キャップ部材６が容易に抜けない構成になっている。    
また、前記キャップ部材６の内部において気密性が担保できる構成にすべく、キャップ部材６も先端側に向かって先細りとなる形状にしておくことが好ましい。
【００１７】
尚、前記キャップ部材６を保持部４に嵌め込むことにより、保持部４に設けられた取付孔５には、その外周面側から軸心方向中心部に向かって、すなわち、保持部４の径方向に向かって前記嵌合による締め付け押圧力が加わり、該取付孔５に嵌め込まれた棒状芯材３を締め付けて保持することにもなる。これによって棒状芯材３は保持部４から簡単に抜けない。
【００１８】
符号８は尾栓を示す。この尾栓８の外周面には、図に示すように係止片１０が外側に張り出して設けられている。よって、尾栓８をボディ２の後端開口からボディ２の内部空間に嵌め込んだとき、前記係止片１０がボディ２の後端開口における端面に当接し、尾栓８のボディ２への挿入しすぎを防止する構成になっている。
【００１９】
符号１１は尾栓８の軸心方向に設けられた伸縮用空洞部である。該伸縮用空洞部１１は、尾栓８の軸心方向に向かって略円柱状の空間として設けられており、この伸縮用空洞部１１により、尾栓８をボディ２の後端開口へ嵌め込んだとき、尾栓８は、ボディ２の径方向に伸縮し、弾発力をもって、ボディ２の後端開口へ嵌まり、容易に抜出することがない。尚、本実施例ではこの伸縮用空洞部１１の開口は塗布具１の先端側になっているが、逆に塗布具１の後端側に開口が向くよう構成しても構わない。
【００２０】
また、尾栓８の係止片１０が設けられた箇所から後方側の部分は、キャップ部材６の装着部１２として構成される。塗布具１の使用時には、この装着部１２にキャップ部材６を嵌め込み、塗布具１が使用しやすい長さとなるよう工夫されているのである（図２参照）。
【００２１】
すなわち、図２に示すように、本実施例による塗布具１の使用時には、キャップ部材６をボディ２の保持部４から外す。そして、そして外したキャップ部材６を尾栓８の装着部１２の嵌め込むのである。これにより本発明の塗布具１は、使用時にきわめて使用しやすい長さを確保することが出来る。すなわち、未使用時には短くコンパクトな形状の塗布具１として提供できるため、例えば、女性用の比較的小さなバッグ内に収納できるものとなっている。そして、使用時には尾栓８にキャップ部材６を装着し、長くすることが出来てアイブロウなどの化粧が非常にしやすい長さにすることができる。
【００２２】
尚、前述した伸縮用空洞部１１であるが、尾栓８の後端側から塗布部１の先端側に向かって、伸縮用空洞部１１における内径の大きさが徐々に大きくなるよう形成しても構わない。このような構成であれば、より尾栓８のボディ２への取り付け強度を高めることが出来る。さらに、ボディ２の内周面と尾栓８の外周面に各々嵌り合う凸部２０と凹部２１を形成しておくことが好ましい。また、図に示すように、伸縮用空洞部１１を構成する尾栓８の外周壁の肉厚を係止片１０の形成箇所から開口側に向かって厚くしておくことにより、さらに尾栓８のボディ２に対する取付強度を向上させることが出来る。
【００２３】
図３に本発明の第二実施例を示す。第二実施例では、図３から理解されるように、保持部４の先端から突出している棒状芯材３の先端部分の長さを塗布具使用中であっても変更できる塗布具１として構成したものである。すなわち、本実施例による塗布具１の使用者が使用によって外部に突出している棒状芯材３の先端部分、いわゆる筆先部分がすり減って消失したとき、さらに棒状芯材３の先端部分を外部に突出させる機構を創案したものである。
【００２４】
そのため、本実施例では、図３に示すように、尾栓８の構造に特徴を持たせた。本実施例での尾栓８は、ボディ２の後端開口に嵌り込む略円柱状をなす基部３０を有している。そして、この基部３０の先端側からは塗布具１の先端側に延出する若干長尺の操作杆３１を有している。さらに、操作杆３１の先端には、棒状芯材３を嵌入して取り付ける取付孔５が設けられている。しかして、この取付孔５に取り付けられた棒状芯材３の先端部分が保持部４の先端から外側に露出して突出しており、この先端部分すなわち、筆先部分でアイブロウ等の化粧が行われる。
【００２５】
尚、本実施例における塗布具１の販売当初状態のとき、基部３０は、図３に示すように、その後端部がボディ２内には嵌め込まれてはおらず、外部に露出して突出している。それはキャップ部材６を外してアイブロウなどを行うとき、この基部３０の突出部分を装着部１２として使用し、キャップ部材６を嵌め込めるようにしたためである。
【００２６】
しかして、この外側に突出する筆先部分が使用によりすり減って消失したとき、基部３０をボディ２内に押し込めば棒状芯材３の先端部分が保持部４の先端から再び突出するのである。
【００２７】
ここで、前記基部３０の外周面には、その軸心方向に向け、間隔をあけて複数個の操作用突起３２が設けられており、これら操作用突起３２のうちいずれかの操作用突起３２はボディ２の後端部側内周面に設けられた操作用凹部３３と係合している。図３では、基部３０に設けられた３つの操作用突起３２のうち基部先端側よりの２つの操作用突起３２がボディ２の後端部側内周面に設けられた２つの操作用凹部３３と係合している。その状態で保持部４の先端から棒状芯材３の先端が外側に突出して、当初の筆先部分が形成されているのである。
【００２８】
ここで、当初の棒状芯材３の筆先部分が使用により消失すると、図３において、基部３０の後端部をボディ２内に押し込む。すると、基部３０の後端側に設けられた外部に露出している操作用突起３２がボディ２側に設けられた操作用凹部３３のうち後端部側の操作用凹部３３に嵌り込み、その間隔の長さだけ、尾栓８は塗布具１の先端側へ移動する。そして、この移動により保持部４の先端から棒状芯材３の先端部分が外側へ突出し、新たな筆先部分を形成するのである。
【００２９】
尚、この実施例において、ボディ２と基部３０との嵌合状態が強固の場合は、前記操作用突起３２や操作用凹部３３が形成されていなくとも基部３０をボディ２内に押し込み固定することが出来る。また、操作用突起３２か操作用凹部３３のいずれか一方のみ形成しておけば足りる場合もある。
【００３０】
次に、図４及び図５を参照して本発明の第三実施例につき説明する。
図４及び図５から理解されるように、本実施例による塗布具１は、その長手方向両側双方にアイラインあるいはアイブロウが行える筆先部分を構成した。
【００３１】
図４及び図５は一方側がアイブロウを行うペンシルタイプであり、他方側にはアイライン用のペンタイプあるいはブラシタイプの筆先とした塗布具１である。
【００３２】
本実施例による塗布具１は、略円筒状をなすボディ２を有している。そして、このボディ２の長手方向両端側には、アイブロウを行うペンシルタイプの棒状芯材３を保持する保持部４が、他方側にはアイライン用のペンタイプあるいはブラシタイプの棒状芯材３を保持する保持部４が形成されている。
【００３３】
ここで、図４及び図５を参照して説明すると、図に向かって塗布具１のボディ２の上側に位置する棒状芯材３は、ナイロンなど合成樹脂材を棒状ペンタイプの描画部材として構成しており、この棒状芯材３には、あらかじめ液状塗布材が染み込ませてある。そして、この染み込ませた液状塗布材がなくなるまで使用できるものとなる。すなわち、本実施例では、棒状芯材３の全体の長さを使用期間に見合った液状塗布材が染みこませられる長さに形成してあるのである。
【００３４】
このペンタイプの棒状芯材３であれば、ラインがぶれずに描きやすく、濃く発色させることもできる。また、比較的棒状芯材３の先端部につき、こしが強く形成でき、いわゆる使用の初心者であっても比較的、描きやすいという特徴がある。
【００３５】
尚、この棒状芯材３の長さが異なるものを、それぞれ用意し、それらを取り替えて取り付ければ、長さの異なる棒状芯材３の変更のみで、使用期間を短いものから長いものまで変更できる塗布具が数種類提供できることにもなる。
【００３６】
前記保持部４には、その軸心方向に棒状芯材３が嵌挿する貫通保持孔５１が設けられている。そして、保持部４は、取り付けられる棒状芯材３の先端側に向かってやや先細り状になるようその外形が形成されており、また、保持部４の径方向外周面は、内部に円状空間を有する円筒状をなすキャップ部材６におけるキャップ口７の内部空間内周面が密着して嵌り込む略円柱状の形状として構成されている。
【００３７】
そして、前記保持部４の外周面を例えば軸心方向に向かって若干波状をなす凹凸面として形成し、前記キャップ部材６のキャップ口７の内部空間内周面も前記保持部４の外周面に形成された凹凸面に嵌合する波状の凹凸面に形成すれば、キャップ部材６を保持部４に嵌め込んだとき、前記双方の凹凸面が嵌合して、キャップ部材６が容易に抜けない構成にすることが出来る。
【００３８】
また、前記キャップ部材６の内部の空間を出来るだけ狭くし、気密性を担保して、前記棒状芯材３に染みこんだ液状塗布材が乾かないように構成すべく、キャップ部材６を前記保持部４の場合と同様に先端側に向かって先細りとなる形状にしておくことが好ましい。
【００３９】
尚、前記キャップ部材６を保持部４に嵌め込むことにより、保持部４に設けられた貫通保持孔５１には、その外周面側から軸心方向中心部に向かって、すなわち、保持部４の径方向に向かって前記嵌合による締め付け押圧力が加わり、該貫通保持孔５１を貫通する棒状芯材３を締め付けて保持することにもなる。これによって棒状芯材３は保持部４から簡単に引き抜けない。
【００４０】
さらに、保持部４と棒状芯材３の後端部との間には固定部材１６が介在しており、該固定部材１６の固定孔１９に棒状芯材３の後端部が嵌入して、棒状芯材３の後端部が該固定部材１６を介して保持部４に固定されるものとなっている。
しかも前記固定部材１６はボディ２の内部空間に嵌入しており、ボディ２内から容易に抜けない。
【００４１】
よって、棒状芯材３は、保持部４の先端側に設けられた係止壁１７に棒状芯材３の係止壁１８が係止すると共に、棒状芯材３の後端部が前記固定部材１６に固定され、もって、一層、保持部４から棒状芯材３が抜けないように構成されている。
【００４２】
尚、固定孔１９の底部には空間部２３が形成され、該空間部２３は、棒状芯材３に染み込んだ液状塗布材が容易にペン先側にはき出るよう空気流通機構を果たす空間となっている。さらに、たとえ、棒状芯材３が若干長さ方向に膨張したとしても固定部材１６が保持部４から外れないよう、前記棒状芯材３の長さを吸収する吸収空間の役目も果たしている。
ここで、前記保持部４と固定部材１６とは別部品で構成されているが、保持部４と固定部材１６とを一体形成したものであっても構わない。
【００４３】
図６は図５のＡ−Ａ線断面図である。図６に示すように、棒状芯材３は保持部４を軸心方向に嵌挿してボディ２に取り付けられている。そして、棒状芯材３と保持部４との当接面部には空気流通溝２２となる空間が設けられており、該空気流通溝２２により、外部とボディ２の内部とを連通させて棒状芯材３に染み込んだ液状塗布材の流れをスムーズにし、ペン先でのかすれや液不足が起きないように構成されている。
【００４４】
ここで、この空気流通溝２２については、保持部４側に設けられているが、それに限定されない。棒状芯材３側に形成してもかまわない。また、この実施例では、空気流通溝２２は間隔をあけてリング状に４カ所設けられているが、設けられる箇所や個数についても何ら限定されるものではない。また、空気流通溝２２は、図７に示す様な形状の溝でも構わない。
【００４５】
本実施例による塗布具１の使用時には、ボディ２に取り付けられているキャップ部材６を保持部４から外す。尚、一方側のキャップ部材６のみを外すのであり、他方側のキャップ部材６は保持部４に嵌めたままであるから、使用しやすい長さは確保できている。
【００４６】
ところで、前述したナイロンなど合成樹脂材を棒状ペンタイプの描画部材として構成し、アイライン用の棒状芯材３としたものに替え、いわゆる毛筆の筆先と同じように例えば、細い線状をなす合成繊維を束ねてブラシ状にし、このブラシ状に束ねたものを棒状芯材３として使用することも出来る。この様なブラシ状の棒状芯材３は、染みこませる液状塗布材の量を前記のペンタイプより多く筆先内部に貯留できる。よってブラシ状の棒状芯材３の長さを短くしても、液切れしないため長期間の使用が期待出来る。
【００４７】
尚、本実施例のブラシタイプでは、筆先を毛筆の筆先のように細くすることが出来るため、もって細いラインを引く場合であっても確実に引くことが出来る。また太いラインを引きたい場合には、筆先を描画箇所側、すなわち顔側に押し付けて描画すれば、太いラインであっても確実に引くことができる。この様に、ブラシの毛にハリを持たせることが出来るため、細いラインから太いラインまで、自在に引くことが出来るとの特徴を有している。
【００４８】
次に、図４及び図５において、下側には、アイブロウ化粧用ペンシルタイプの棒状芯材３が取り付けられている。
この取付構造は図１及び図２に示す第一実施例で説明したとおりである。ここで、第一実施例と本実施例とにおいて異なる構造は、本実施例では、ボディ２と保持部４とを別部品として構成してあることである。
【００４９】
本発明者は、本件発明による短期間使用型の塗布具１を創案するに当たって、製造コストを安価にし、もって販売料金を安くすることを企図とした。そのため短期間使用型の塗布具１の各種シリーズを製造、販売するに当たり共通で使用出来る部品はなるべく共通で使用出来る構造とした。短期間使用型の各種シリーズにおける塗布具１の製造、販売に際しては共通仕様が出来る部品はなるべく共通にした方が製造コストを安価に出来るからである。
【００５０】
よって、ボディ２の形状についても、一方側についてのみ保持部４を一体形成し、他方側の端部には保持部４が一体形成されていないものであれば、この様なボディ２を各種の短期間使用型シリーズものにすべて使用することが出来、製造コストを安価になしうるのである。
【００５１】
図４及び図５を参照して、別部品で構成した保持部４の構成につき説明する。
別部品の保持部４は、図１及び図２に示す尾栓８の形状を利用し、これに棒状芯材３の取付孔５を有する取付部を設けて構成できる。
【００５２】
すなわち、別部品の保持部４は、尾栓状基部５２を有している。そして、この尾栓上記部５２の外周面には、図４及び図５に示すように係止片１０が外側に張り出して設けられている。よって、尾栓状基部５２をボディ２の後端開口からボディ２の内部空間に嵌め込んだとき、前記係止片１０がボディ２の後端開口における端面に当接し、尾栓状基部５２のボディ２への挿入しすぎを防止する構成になっている。
【００５３】
符号１１は尾栓状基部５２の軸心方向に設けられた伸縮用空洞部である。該伸縮用空洞部１１は、尾栓状基部５２の軸心方向に向かって略円柱状の空間として設けられており、この伸縮用空洞部１１により、尾栓状基部５２をボディ２の後端開口へ嵌め込んだとき、尾栓状基部５２は、ボディ２の径方向に伸縮し、弾発力をもって、ボディ２の後端開口へ嵌まり、容易に抜出することがない。
【００５４】
そして、尾栓状基部５２の係止片１０が設けられた箇所から後方側の部分は、キャップ部材６の装着部１２として構成される。本実施例の塗布具１の使用時、すなわち図４に向かって下側に位置する棒状芯材３の使用時には、この別部品の保持部４における尾栓状基部５２の装着部１２にキャップ部材６を嵌め込み、塗布具１が使用しやすい長さとなるよう工夫されているのである。
【００５５】
次に、図５に示すように、本実施例による塗布具１の使用時には、キャップ部材６をボディ２の保持部４から外して使用する。尚、反対側の保持部４にはキャップ部材６が尾栓８の装着部１２にあらかじめ嵌め込まれてあり、これにより本発明の塗布具１は、使用時にきわめて使用しやすい長さは確保されている。
【００５６】
尚、前述した伸縮用空洞部１１であるが、尾栓状基部５２の後端側から塗布部１の先端側に向かって、伸縮用空洞部１１における内径の大きさが徐々に大きくなるよう形成し、ボディ２の内周面を中から押し上げる弾発力を持たせて形成しても構わない。このような構成であれば、より尾栓状基部５２のボディ２への取り付け強度を高めることが出来る。さらに、ボディ２の内周面と尾栓状基部５２の外周面に各々嵌り合う凸部２０と凹部２１を形成しておくことが好ましい。さらに、図４及び図５に示すように、伸縮用空洞部１１を構成する尾栓状基部５２の外周壁の肉厚を係止片１０の形成箇所から開口側に向かって厚くしておくことにより、さらに尾栓状基部５２のボディ２に対する取付強度を向上させることが出来る。
【００５７】
なお、ボディ２につき、その長手方向両端側に保持部４を一体成形したボディ２を使用しても構わないものである。
【００５８】
また、塗布具１につき前述した双方使用タイプについては、一方側の棒状芯材３について、ナイロンなど合成樹脂材を棒状ペンタイプの描画部材として構成し、アイライン用の棒状心材３としたものにし、他方側の棒状芯材３については、いわゆる毛筆の筆先と同じように例えば、細い線状をなす合成繊維を束ねてブラシ状にし、このブラシ状に束ねたものを棒状芯材３として使用する双方使用タイプにしても構わないものである。
【００５９】
この様なブラシ状の棒状芯材３は、染みこませる液状塗布材の量を前記のペンタイプより多く筆先内部に貯留できる。よってブラシ状の棒状芯材３の長さを短くしても、液切れしないため長期間の使用が期待出来る。
【００６０】
尚、本実施例のブラシタイプでは、筆先を毛筆の筆先のように細くすることが出来るため、もって細いラインを引く場合であっても確実に引くことが出来る。また太いラインを引きたい場合には、筆先を描画箇所側、すなわち顔側に押し付けて描画すれば、太いラインであっても確実に引くことができる。この様に、ブラシの毛にハリを持たせることが出来るため、細いラインから太いラインまで、自在に引くことが出来るとの特徴を有している。
【符号の説明】
【００６１】
１      塗布具
２      ボディ
３      棒状芯材
４      保持部
５      取付孔
６      キャップ部材
７      キャップ口
８      尾栓
１０    係止片
１１    伸縮用空洞部
１２    装着部
１６    固定部材
１７    係止壁
１８    係止壁
１９    固定孔
２０    係止凸部
２１    係止凹部
２２    空気流通溝
２３    空間部
３０    基部
３１    操作杆
３２    操作用突起
３３    操作用凹部
５１    貫通取付孔
５２    尾栓状基部